(57)【要約】【課題】  有害節足動物に対する誘引効果の優れたシステムの提供。【解決手段】  有害節足動物に対して誘引性を有する化合物よりなる群から選ばれる少なくとも１種の化合物と、該有害節足動物に対する天敵よりなる群から選ばれる少なくとも１種の天敵を含んでなる、有害節足動物の行動を制御するための組み合わせであって、前記化合物と天敵が、前記有害節足動物を相乗的に誘引する態様で使用される、上記組み合わせ物。【特許請求の範囲】
【請求項１】
有害節足動物に対して誘引性を有する化合物よりなる群から選ばれる少なくとも１種の化合物と、該有害節足動物に対する天敵よりなる群から選ばれる少なくとも１種の天敵を含んでなる、有害節足動物の行動を制御するための組み合わせであって、前記化合物と天敵が、処置を必要とする場所で前記有害節足動物を相乗的に誘引する態様で使用される、ことを特徴とする組み合わせ物。
【請求項２】
請求項１に記載の組み合わせ物であって、有害節足動物の行動の制御が有害節足動物を防除するか、または発生を予察することにある、組み合わせ物。
【請求項３】
請求項１または２に記載の組み合わせ物であって、前記化合物が動物由来のカイロモン、植物由来のカイロモンおよびそれらの類縁体からなる群より選ばれる、組み合わせ物。
【請求項４】
請求項１または２に記載の組み合わせ物であって、前記化合物が植物由来のカイロモンおよびその類縁体からなる群より選ばれる、組み合わせ物。
【請求項５】
請求項１または２に記載の組み合わせ物であって、前記化合物がｐ−アニスアルデヒド、ベンズアルデヒド、ニコチン酸エチル、ゲラニオール、リナロール、ネロール、シトロネロール、ｏ−アニスアルデヒド、β−ファルネセン、アントラニル酸メチル、安息香酸メチル、ｏ−アミノアセトフェノン、ｏ−アニシジン、ｍ−アミノ安息香酸メチル、ｏ−トルイル酸メチル、オイゲノール、３−フェニルプロピルアルデヒド、シンナムアルデヒド、ユーカリプトール、スクアレン、α−ヘキシルシンナムアルデヒドからなる群より選ばれる、組み合わせ物。
【請求項６】
請求項１または２に記載の組み合わせ物であって、前記化合物がｐ−アニスアルデヒド、ベンズアルデヒド、ニコチン酸エチル、ゲラニオール、リナロール、ネロール、シトロネロール、アントラニル酸メチル、安息香酸メチル、ｏ−アミノアセトフェノン、ｏ−アニシジン、ｍ−アミノ安息香酸メチル、ｏ−トルイル酸メチル、α−ヘキシルシンナムアルデヒドからなる群より選ばれる、組み合わせ物。
【請求項７】
請求項１または２に記載の組み合わせ物であって、前記化合物がｐ−アニスアルデヒド、ベンズアルデヒド、ニコチン酸エチル、アントラニル酸メチル、安息香酸メチル、ｏ−アミノアセトフェノン、ｏ−アニシジン、ｍ−アミノ安息香酸メチル、ｏ−トルイル酸メチル、α−ヘキシルシンナムアルデヒドからなる群より選ばれる、組み合わせ物。
【請求項８】
請求項１から７のいずれかに記載の組み合わせ物であって、前記天敵が捕食性天敵、寄生性天敵、天敵微生物からなる群より選ばれる、組み合わせ物。
【請求項９】
請求項１から７のいずれかに記載の組み合わせ物であって、前記天敵が捕食性天敵であるスワルスキーカブリダニ、チリカブリダニ、ミヤコカブリダニ、キイカブリダニ、ヘヤカブリダニ、リモニカスカブリダニ、ククメリスカブリダニ、ニセラーゴカブリダニ、コウヅケカブリダニ、デジェネランスカブリダニ、ショクガタマバエ、タイリクヒメハナカメムシ、ナミテントウ、アリガタシマアザミウマ、アカメガシワクダアザミウマ、ヒメカメノコテントウ、タバコカスミカメ、クロヒョウタンカスミカメ、ヤマトクサカゲロウ、オオメカメムシからなる群、および寄生性天敵であるオンシツツヤコバチ、イサエアヒメコバチ、ハモグリコマユバチ、コレマンアブラバチ、サバクツヤコバチ、ハモグリミドリヒメコバチ、チャバラアブラコバチ、コナガサムライコマユバチからなる群、および天敵微生物であるパスツーリアペネトランス、チャハマキ顆粒病ウイルス、リンゴコカクモンハマキ顆粒病ウイルス、スタイナーネマカーポカプサエ、スタイナーネマグラセライ、モナクロスポリウムフィマトパガム、ボーベリアブロンニアティ、ペキロマイセスフモソロセウス、ボベリアバシアーナ、バーティーシリウムレカニ、ペキロマイセステヌイペス、ハスモンヨトウ核多角体病ウイルス、アグロバクテリウムラジオバクター、非病原性エルビニアカロトボーラ、バチルスズブチリス、タラロマイセスフラバス、バチルスシンプレクス、トリコデルマアトロビリデ、シュードモナスフルオレッセンス、コニオチリウムミニタンス、ズッキーニ黄斑モザイクウイルス、バチルスチューリンゲンシスからなる群より選ばれる、組み合わせ物。
【請求項１０】
請求項１から７のいずれかに記載の組み合わせ物であって、前記天敵が捕食性天敵であるスワルスキーカブリダニ、チリカブリダニ、ミヤコカブリダニ、キイカブリダニ、ヘヤカブリダニ、リモニカスカブリダニ、ククメリスカブリダニ、ニセラーゴカブリダニ、コウヅケカブリダニ、デジェネランスカブリダニ、ショクガタマバエ、タイリクヒメハナカメムシ、ナミテントウ、アリガタシマアザミウマ、アカメガシワクダアザミウマ、ヒメカメノコテントウ、タバコカスミカメ、クロヒョウタンカスミカメ、ヤマトクサカゲロウ、オオメカメムシからなる群、および寄生性天敵であるオンシツツヤコバチ、イサエアヒメコバチ、ハモグリコマユバチ、コレマンアブラバチ、サバクツヤコバチ、ハモグリミドリヒメコバチ、チャバラアブラコバチ、コナガサムライコマユバチからなる群より選ばれる、組み合わせ物。
【請求項１１】
請求項１から７のいずれかに記載の組み合わせ物であって、前記天敵が捕食性天敵であるスワルスキーカブリダニ、チリカブリダニ、ミヤコカブリダニ、キイカブリダニ、ヘヤカブリダニ、リモニカスカブリダニ、ククメリスカブリダニ、ニセラーゴカブリダニ、コウヅケカブリダニ、デジェネランスカブリダニ、ショクガタマバエ、タイリクヒメハナカメムシ、ナミテントウ、アリガタシマアザミウマ、アカメガシワクダアザミウマ、ヒメカメノコテントウ、タバコカスミカメ、クロヒョウタンカスミカメ、ヤマトクサカゲロウ、オオメカメムシからなる群より選ばれる、組み合わせ物。
【請求項１２】
請求項１から１１のいずれかに記載の組み合わせ物であって、選ばれる誘引性を有する化合物の処理量が、１種の化合物あたり０．０００３〜１２ｋｇ／ｈａである、組み合わせ物。
【請求項１３】
請求項１から１２のいずれかに記載の組み合わせ物であって、選ばれる有害節足動物に対する天敵の放飼量が、捕食性天敵あるいは寄生性天敵の場合は、０．０１〜１００頭／ｍ2、天敵微生物の場合は１〜５ｋｇ／ｈａである、組み合わせ物。
【請求項１４】
請求項１から１３いずれかに記載の組み合わせ物を用いた有害節足動物防除法または有害節足動物予察法。
【発明の詳細な説明】
【技術分野】
【０００１】
本発明は、有害節足動物を対象に、有害節足動物を誘引するための誘引化合物、および有害節足動物に対する天敵を相乗効果的に併用することで、有害節足動物の被害から農作物を保護する防除方法および予察方法、或はこれらの方法において使用するための組み合わせ物に関する。また、かような誘引化合物および天敵を介して有害節足動物個体群の行動を制御する方法、特に施設栽培ハウス内および露地における、有害節足動物による植物の被害を防除および予察する方法、或はこれらの方法で使用するための組み合わせ物に関する。
【背景技術】
【０００２】
有害節足動物による栽培作物への被害は、世界的問題となっている。有害節足動物の中にはウイルスを媒介するものも存在し、ウイルス病を引き起こすことで作物に対してより深刻な被害を与えている。従来から、農作物に発生し被害をもたらす有害節足動物の防除は、多くの場合化学農薬により行われている。しかし、蕾など閉鎖された箇所に生息する微小な有害節足動物の場合、低密度での検出や化学農薬による防除は困難である。さらに、化学農薬に対する抵抗性の出現により防除効果が低下することや、化学農薬の使用による環境への影響が問題視されている。したがって、栽培作物及び植物に対する被害を低減するために有害節足動物個体群を検出し、有害節足動物個体群密度を抑制する方法が求められている。【０００３】
有害節足動物は寄主植物を利用するために、植物が生産し、放出する揮発性物質を用いている。したがって、植物由来の化合物のいくつかは、有害節足動物の誘引物質として作用し、誘引物質を添加した適切なトラップを使用して有害節足動物を誘引することが可能である（特許文献１、特許文献２、非特許文献１、非特許文献２）。【０００４】
ある種の生物が生産した物質が、生産した種には不利であるが、受容した他の種の生物に対して有益な効果を及ぼす物質としてのカイロモンは公知である。例えば、植物が生産し、受容した植食者が誘引される物質もカイロモンであり、これらの物質は植物由来のカイロモンとされる。誘引化合物として見出された物質の多くが、植物由来のカイロモンとして知られる芳香化合物である。多くの植物由来のカイロモンが各種有害節足動物の誘引物質として報告されてきた。例えば、ドウガネブイブイ（Ａｎｏｍａｌａ  ｃｕｐｒｅａ）のオス、メス成虫を誘引するカイロモンとして、青葉アルコールおよび、そのエステル類、メチルイソオイゲノールおよび、その類縁化合物が明らかにされており、（特許文献１、特許文献２）、これらを誘引剤として利用したトラップがすでに発生調査に利用されている。また、花の芳香であるベンジルアセテートとその誘導体６成分が、スギノアカネトラカミキリ（Ｃｒｙｐｔｏｍｅｒｉａ  ｔｗｉｎｇ）を誘引することが明らかにされており（特許文献３、特許文献４、特許文献５）、これらを誘引剤として利用したトラップもすでに発生調査に利用されている。【０００５】
植物由来のカイロモンが、アザミウマ類の誘引物質として報告されてきた。例えば、ｐ−アニスアルデヒド、ニコチン酸エチル、ベンズアルデヒド、ｏ−アニスアルデヒド、β−ファルネセン、オイゲノール、３−フェニルプロピルアルデヒド、モノテルペン類（ゲラニオール、リナロール、ネロール、シトロネロール、ユーカリプトール）、モノテルペンエステル類（吉草酸イソボルニル、ピバリン酸イソボルニル、吉草酸ラバンジュリル）が、ミカンキイロアザミウマ（Ｆｒａｎｋｌｉｎｉｅｌｌａ  ｏｃｃｉｄｅｎｔａｌｉｓ）の誘引物質として報告されているが、その誘引性の程度は異なる(非特許文献３、非特許文献４、非特許文献５、非特許文献６、特許文献６、特許文献７、特許文献８)。【０００６】
他にも、ニコチン酸エチルとベンズアルデヒドは、スリップス  オブスクラタス（Ｔｈｒｉｐｓ  ｏｂｓｃｕｒａｔｕｓ）に対して誘引性を示し、アニスアルデヒドとベンズアルデヒドは、ネギアザミウマ（Ｔｈｒｉｐｓ  ｔａｂａｃｉ）に対して誘引性を示すことが報告されている。また、アントラニル酸メチル、アントラニル酸エチルは、ハナアザミウマ（Ｔｈｒｉｐｓ  ｈａｗａｉｉｅｎｓｉｓ）、ビワハナアザミウマ（Ｔｈｒｉｐｓ  ｃｏｌｏｒａｔｕｓ）を誘引するが、ミカンキイロアザミウマ、ネギアザミウマを誘引しないことが報告されている（非特許文献３、非特許文献７、非特許文献９）。
カイロモン様活性を示すが植物由来でない化合物は植物由来のカイロモンの類縁体と称されることもある。例えば、ニコチン酸エチルとｍ−アミノ安息香酸メチルは、それぞれ植物由来の化合物であるニコチン酸メチルとｏ−アミノ安息香酸メチルの類縁体であり、植物由来の化合物ではないが、アザミウマ類の誘引物質として報告されている(非特許文献３、非特許文献５、非特許文献７、非特許文献８)。【０００７】
植物由来の芳香化合物以外にも、合成されたピリジン誘導体化合物（イソニコチン酸メチル、イソニコチン酸エチル、イソニコチン酸プロピル、イソニコチン酸イソプロピル、イソニコチン酸デシル、２−クロロ−イソニコチン酸エチル、ピリジン４−(１，３−ジオキソラン−２−イル)、ジ−イソプロピルイソニコチンアミド、４−ホルミルピリジン、メチル４−ピリジンケトン、エチル４−ピリジンケトン、プロピル４−ピリジンケトン）は、ネギアザミウマ、ミカンキイロアザミウマ、スリップス  オブスクラタスに対して誘引性を示すことが報告されている（特許文献６、特許文献７）。【０００８】
上記の物質は、アザミウマの種類によって異なる程度の誘引性を示す場合があり、種特異性を示すことが報告されている。【０００９】
一方で、生物防除法として天敵を栽培中の作物に処理することで、有害節足動物を防除し、作物の被害を防ぐ方法が行われてきた（特許文献９）。通常、天敵とは、自然界において作用する生物の個体数を制御する力、すなわち自然制御のうち、自然制御に関わる生物的要因内の捕食者や寄生者として機能する生物のことを指すが、本発明においても同様の概念を有するものとして使用する。さらに、昆虫に感染し、直接的あるいは間接的に致死させる病原菌やウイルスなども天敵であり、天敵微生物と称される。
さらに、天敵の効果を高めるために、天敵の餌となる異種の昆虫が増加しやすい植物をバンカープラントとして栽培し、このバンカープラントに寄生した昆虫を餌とした天敵が増殖し、栽培作物に寄生した有害節足動物を捕食し作物の被害を回避する方法が行われている（特許文献１０）。例えば、作物栽培施設内に麦を栽培してムギクビレアブラムシを寄生させ、さらにムギクビレアブラムシの天敵コレマンアブラバチを放飼して麦の上で増殖させておき、栽培施設内の作物に侵入寄生したワタアブラムシやモモアカアブラムシなどの重要有害節足動物を捕殺せしめ被害を未然に防ぐ方法が一般に使用されている。【００１０】
また、農作物を有害節足動物の被害から保護するために、農作物栽培施設又は圃場の内部あるいは外側に、有害節足動物の天敵昆虫が産卵し増殖する植物を栽培し、天敵昆虫を増加させることで有害節足動物を捕食せしめ、農作物の被害の発生を防ぐ方法もある（特許文献１１）。例えば、有害節足動物であるアザミウマ類から農作物を保護するために、その天敵であるヒメハナカメムシ類の好適な産卵増殖植物であるカランコエを農作物栽培施設又は圃場の内部あるいは外側で栽培し、天敵のヒメハナカメムシ類を増殖させて生息密度を高め、有害節足動物のアザミウマ類の増加を有効に抑制する方法がある（特許文献１１）。【００１１】
しかし、多くの天敵は、餌となる有害節足動物が生息しないと農作物栽培圃場内で生存することができない。また、天敵は圃場内の有害節足動物をすべて摂食すると、圃場外に移動する。さらに、餌や産卵場所があったとしても、圃場が温度や湿度が生息に適した環境条件でないと、天敵は圃場に定着せず、圃場外に移動する。このため、天敵を用いて、有害節足動物に対する増加抑制効果を持続的に発現させることは、天敵を利用した有害節足動物防除方法において大きな問題であった（特許文献１２）。【００１２】
他にも、キュウリ栽培においては、有害節足動物であるアザミウマ類の著名な天敵であるタイリクヒメハナカメムシは、キュウリ株での増殖数が少なく、栽培圃場内に放虫しても、放した成虫により一時的なアザミウマ類の抑制効果を発現するのみで、持続的な抑制効果を示さなかった。また、イチゴ栽培では、有害節足動物カンザワハダニおよびナミハダニを防除するために、天敵であるチリカブリダニやミヤコカブリダニを放飼しているが、餌となる有害節足動物のダニ類をすべて摂食した場合、あるいは栽培圃場内が低湿度（６３ ％ 以下）になった場合、天敵であるカブリダニ類が圃場から逃避するという問題があった（特許文献１２）。【００１３】
その他にも、ダニ類の発生が多いカンキツ類、ブドウ、ナシおよびリンゴ栽培では、化学農薬の殺ダニ剤に対して薬剤抵抗性が発達したことで化学農薬の効果が低下し、化学農薬のみでは有害節足動物を防除できない事態も頻発している。この解決策として、上記と同様に、有害節足動物の天敵昆虫を放して有害節足動物を防除しようとする試みも行われたが、天敵昆虫を放した直後の一時的な有害節足動物の密度抑制効果は認められるものの、多くの場合、有害節足動物防除効果に持続性を示さなかった（特許文献１２）。【００１４】
ヒメハナカメムシ（Ｏｒｉｕｓ属）は、難防除有害節足動物であるアザミウマ類などの優れた天敵として知られており、かかる有害節足動物の防除方法として、ナミヒメハナカメムシ、タイリクヒメハナカメムシ等の利用が試みられている（特許文献１３）。しかし、天敵を安定して供給するため、室内で大量飼育を行ったところ、近親交配を重ねたことによる近交弱勢が起こり、増殖率が低下するという新たな問題が起こっている。【００１５】
その上、捕食性ダニ類およびカメムシ類は、その捕食対象種数が必ずしも多くない（狭食性）ため、それらを利用した天敵によって防除可能な有害節足動物の種類が少数に限られるという欠点がある。また、この狭食性は、寄生性天敵、天敵微生物においても同様である。そのため、これら天敵を用いても、その天敵が防除できない有害節足動物は増殖、加害を繰り返すことになる。しかも、天敵は一般に薬剤感受性が高く、前記残存有害節足動物の防除を目的とする化学合成殺虫剤の同時使用は多くの場合不可能である。したがって、従来の天敵は、化学合成殺虫剤で問題になっていた欠点は克服したものの、生産および使用コスト、並びに効果の面には未だに問題が残っている（特許文献１４）。【００１６】
天敵を利用して有害節足動物を防除する場合、一般的に、有害節足動物の密度が低い発生初期に天敵を処理するという方法が行われる。これは有害節足動物の密度が高くなってからでは、天敵による被害抑制効果が現れにくいためである。しかし、発生初期に有害節足動物を農作物栽培圃場で検出するには熟練を要し、見落としてしまうことが多い。このため、有害節足動物発生密度が高くなってから、一度化学農薬を散布した上で天敵を放飼するという手法がとられることが多い。このように天敵を利用する場合においても、有害節足動物防除効果の持続性のみならず、天敵を放すタイミングの決定の困難性という問題の解決が同時に求められていた（特許文献１２）。【００１７】
上述したこれらの問題は、タイリクヒメハナカメムシ、スワルスキーカブリダニ、チリカブリダニ、ミヤコカブリダニなどの天敵昆虫ばかりでなく、その他の多くの天敵類でも同様に、解決が求められている課題である（特許文献１２）。【００１８】
したがって、上記の理由により天敵を単独で使用しただけでは、有害節足動物に対して高い防除効果を示さない事例もみられ、有害節足動物（例えばアザミウマ類など）の防除手段として用いるには不十分な場合もあった。【００１９】
このように、有害節足動物の行動を様々な因子を用いて制御しようとする試みは、以前から行われてきた。しかし、従来の方法は、誘引化合物（刺激因子）か天敵（抑制因子）のどちらかが単独で用いるものがほとんどであり、防除手段としては不十分であった。【００２０】
近年、化学農薬散布による環境負荷の問題、および薬剤抵抗性を持つ有害節足動物の問題から、複数の有害節足動物防除法等を合理的に組み合わせ、経済的な視点から、有害節足動物の密度や作物被害の変動等を見極めながら防除の要否を判断する技術として、「Ｉ  ｎ  ｔ  ｅ  ｇ  ｒ  ａ  ｔ  ｅ  ｄ   Ｐ  ｅ  ｓ  ｔ   Ｍ  ａ  ｎ  ａ  ｇ  ｅ  ｍ  ｅ  ｎ  ｔ」（Ｉ Ｐ Ｍ） が注目されている。当該技術では、環境への負荷の増大が懸念される化学合成殺虫剤の使用を必要最小限に抑制することにより、安全・良質な農産物を安定生産することを基本としており、従来の生産性を維持した上で、持続的な農業の確立を目指すことが目標である。【００２１】
しかしながら、上記技術は多様でかつ複雑な要素の上に成り立つ技術であるために、当該技術を熟知した専門家の指導無く当該技術が導入された場合には、単に生産現場に減収のリスクを負わせることになりかねない状況が存在していた。【００２２】
上記課題を解決するための手段として、害虫管理手法としての「プッシュ・プル法」が近年、注目されている。「プッシュ・プル法」は、ワタを加害するタバコガ類を防除するための、「おとり作物」としてトウモロコシやキマメをワタ畑に植栽すると共に、害虫が忌避するニームオイルを施用することによって、おとり作物が害虫を引き寄せ（プル）、忌避剤が害虫を遠ざけることから、こう名付けられた（非特許文献１１）。害虫管理手法としての「プッシュ・プル法」は、定位・定着・摂食・産卵といった昆虫の行動を刺激する因子と抑制する因子とを組み合わせることにより、圃場における昆虫個体群の分布と密度を意図的に調節する方法として定義されている（非特許文献１０、非特許文献１１）。ここで、刺激因子とは、植物由来のカイロモン、アロモン、昆虫由来のフェロモンといった化学的因子や、視覚刺激のような物理的因子などの刺激効果を示す因子であり、抑制因子とは忌避剤などの忌避効果を示す因子である。すなわち、昆虫の行動を制御する「刺激因子」と「抑制因子」を組み合わせる手法はすべてプッシュ・プル法である。プッシュ・プル法は、刺激因子と抑制因子の相反する作用因子を同時に使用して昆虫個体群を制御する点において、これまでの手法とは一線を画するものである。プッシュ・プル法とは、昆虫の行動を制御するあらゆる因子を活用し、それらを最も適切なデザインで配置することにより、害虫個体群を低いレベルに維持する方法であり、広義の総合的害虫管理技術といえる。【００２３】
しかしながら、刺激因子や抑制因子の併用が効果的に作用するかどうかは、刺激因子と抑制因子の相互作用や主作物の位置関係などに依存する。刺激因子の誘引性が不十分であれば、害虫は隣接する主作物に誘引され、被害をもたらす可能性がある。あるいは、抑制因子の忌避性が不十分であれば、害虫は主作物に侵入し、主作物の被害が拡大する可能性がある。このように、プッシュ・プル法による刺激因子や抑制因子を使用することは一定のリスクが伴うという課題がある。
【先行技術文献】
【特許文献】
【００２４】
【特許文献１】特開平７−２４２５０６号公報
【特許文献２】特開平９−１２４４０９号公報
【特許文献３】特開平３−１８８００５号公報
【特許文献４】特開平６−２３４６０３号公報
【特許文献５】特開平９−１９４３０３号公報
【特許文献６】特開２０１１−２６４６５４号公報
【特許文献７】国際公開第２００５／０４６３３０号明細書
【特許文献８】国際公開第０３／０５５３０９号明細書
【特許文献９】特開２００３−７９２７１号公報
【特許文献１０】特開２００３−９２９６２９号公報
【特許文献１１】特開２００６−１０９７２６号公報
【特許文献１２】特開２００６−１５８３４８号公報
【特許文献１３】特開平１１−２５３０６９ 号公報
【特許文献１４】特開２００２−４７１１６号公報
【非特許文献】
【００２５】
【非特許文献１】Ｍ．Ｈｏｒｉ，（２００９）Ｊｏｕｒｎａｌ  ｏｆ  Ａｐｐｌｉｅｄ  Ｅｎｔｏｍｏｌｏｇｙ，１３３，４３８−４４３．
【非特許文献２】Ｔ．Ｆｕｊｉｉ，Ｍ．Ｈｏｒｉ  ａｎｄ  Ｋ．Ｍａｔｓｕｄａ，（２０１０）Ａｇｒｉｃｕｌｔｕｒａｌ  ａｎｄ  Ｆｏｒｅｓｔ  Ｅｎｔｏｍｏｌｏｇｙ，  １２，  ９９−１０５．
【非特許文献３】Ｄ．Ａ．Ｊ．Ｔｅｕｌｏｎ，  Ｄ．Ｒ．Ｐｅｎｍａｎ，ａｎｄ  Ｐ．Ｍ．Ｊ．Ｒａｍａｋｅｒｓ，（１９９３）Ｊｏｕｒｎａｌ  ｏｆ  Ｅｃｏｎｏｍｉｃ  Ｅｎｔｏｍｏｌｏｇｙ，８６，１４０５−１４１５．
【非特許文献４】Ｈ．Ｆ．Ｂｒｄｓｇａａｒｄ，  ＷＰＲＳ  Ｂｕｌｌ．（１９９０）ＸＩ  １１，  ３６
【非特許文献５】Ｄ．Ａ．Ｊ．Ｔｅｕｌｏｎ，Ｂ．Ｈｏｌｌｉｓｔｅｒ，ａｎｄ  Ｅ．Ａ．Ｃａｍｅｒｏｎ，（１９９３）ＩＯＢＣ／ＷＰＲＳ  Ｂｕｌｌ．，１６，１７７−１８０．
【非特許文献６】Ｅ．Ｈ．Ｋｏｓｃｈｉｅｒ, Ｗ．Ｊ．Ｄ．Ｋｏｇｅｌ，ａｎｄ  Ｊ．Ｈ．Ｖｉｓｓｅｒ，（２０００）Ｊｏｕｒｎａｌ  ｏｆ  Ｃｈｅｍｉｃａｌ  Ｅｃｏｌｏｇｙ，２６，２６４３−２６５５．
【非特許文献７】Ｄ．Ｒ．Ｐｅｎｍａｎ，Ｇ．Ｏ．Ｏｓｂｏｒｎｅ，Ｓ．Ｐ．Ｗｏｒｎｅｒ，Ｒ．Ｂ．Ｃｈａｐｍａｎ  ａｎｄ  Ｇ．Ｆ．ＭｃＬａｒｅｎ，（１９８２）Ｊｏｕｒｎａｌ  ｏｆ  Ｃｈｅｍｉｃａｌ  Ｅｃｏｌｏｇｙ，８，１２９９−１３０３．
【非特許文献８】Ｔ．Ｍｕｒａｉ，Ｔ．Ｉｍａｉ  ａｎｄ  Ｍ．Ｍａｅｋａｗａ，（２０００）Ｊｏｕｒｎａｌ  ｏｆ  Ｃｈｅｍｉｃａｌ  Ｅｃｏｌｏｇｙ，２６，２５５７−２５６５．
【非特許文献９】Ｔ．Ｉｍａｉ，Ｍ．Ｍａｅｋａｗａ  ａｎｄ  Ｔ．Ｍｕｒａｉ，（２００１）Ａｐｐｌｉｅｄ  Ｅｎｔｏｍｏｌｏｇｙ  ａｎｄ  Ｚｏｏｌｏｇｙ，３６，４７５−４７８．
【非特許文献１０】Ｂ．Ｐｙｋｅ，Ｍ．Ｒｉｃｅ，Ｂ．Ｓａｂｉｎｅ  ａｎｄ  Ｍ．Ｐ．Ｚａｌｕｃｋｉ，（１９８７）Ａｕｓｔｒａｌｉａｎ  Ｃｏｔｔｏｎ  Ｇｒｏｗｔｈ，  Ｍａｙ−Ｊｕｌｙ，７−９．
【非特許文献１１】Ｓ．Ｍ．Ｃｏｏｋ，Ｚ．Ｒ．Ｋｈａｎ  ａｎｄ  Ｊ．Ａ．Ｐｉｃｋｅｔｔ, （２００７）Ｔｈｅ  Ａｎｎｕａｌ  Ｒｅｖｉｅｗ  ｏｆ  Ｅｎｔｏｍｏｌｏｇｙ， ５２, ３７５-４００.
【発明の概要】
【発明が解決しようとする課題】
【００２６】
有害節足動物を制御するための従来技術である、例えば、誘引物質の単独使用、天敵の単独使用はもとより、複数の手段の組み合わせ使用には、上述した短所ないしは問題点が存在する。したがって、本発明は、かような短所ないしは問題点を克服する手段を提供することを目的とする。
【課題を解決するための手段】
【００２７】
このような背景の下、本発明者らは鋭意検討を行った結果、処置の必要とする同一空間内で特定の誘引化合物と特定の天敵を同時に組み合わせ、使用すると該空間内、例えば、施設栽培ハウス内および露地、での有害節足動物防除に際して、農家が受け入れ易く、かつ、化学合成殺虫剤の使用を必要最小限に抑えることによって安全・良質な農産物を安定生産させることが可能になるという、新規かつ、極めて重要な技術的事項を見出した。こうして、前記課題は、有害節足動物に対して誘引性を有する化合物よりなる群から選ばれる少なくとも１種の化合物と、該有害節足動物に対する天敵よりなる群から選ばれる少なくとも１種の天敵を含んでなる、有害節足動物を制御するための、または制御する方法で使用するための組み合わせ物であって、前記化合物と天敵が、処置を必要とする場所で前記有害節足動物を相乗的に誘引する態様で使用される、ことを特徴とする組み合わせ物の提供により解決される。さらに、前記課題は、同一空間内で誘引化合物と天敵を矛盾なく相乗効果的に同時に併用することで、先行技術文献に記載された誘引化合物を単独で用いた場合と比較して、より強力に有害節足動物を誘引でき、そのため、より効果的に有害節足動物個体群の行動が制御でき、特に有害節足動物による作物の被害を防除および／または予察することのできる方法またはデバイスを提供することにより解決される。
【発明の効果】
【００２８】
作物上に生息する特定の有害節足動物が特定の天敵の攻撃、捕食行動、寄生行動を受けた場合、天敵を回避するため生息していた作物上から移動する。そのとき、作物が栽培されている栽培ハウスまたは露地を特定の誘引物質で処理すると誘引物質が有害節足動物を誘引し、誘引物質を単独で使用する場合よりも誘引効果が上昇する。したがって、上述のとおり、同一空間内における本発明の誘引化合物および天敵の同時併用は、優れた有害節足動物誘引効果を有するので、効率よく有害節足動物を誘引、捕獲することができ、作物に被害を与える有害節足動物の密度を効率よく抑制することが可能となる。このような作用、効果を発揮すべく誘引化合物および天敵を同時に使用して有害節足動物を防除することにより、各種植物を効果的に保護することが可能となる。
【発明の詳細な記述】
【００２９】
本発明について説明する用語は、別に定義しないときは、当該技術分野で常用されている意味、内容を有するものと理解されている。本発明の一の態様は、有害節足動物に対して誘引性を有する化合物よりなる群から選ばれる少なくとも１種の化合物と、該有害節足動物に対する天敵よりなる群から選ばれる少なくとも１種の天敵を含んでなる、有害節足動物を制御するためのまたは制御する方法で使用するための組み合わせであって、前記化合物と天敵が、処置の必要とする場所で前記有害節足動物を相乗的に誘引する態様で使用される、ことを特徴とする組み合わせ物である。
【００３０】
処置の必要とする場所は、本発明の目的に沿って所期の効果が達成できる場所であれば特に限定されるものでないが、例えば、施設栽培ハウス内および露地等の同一空間であることができる。このように、特定の誘引物質と特定の天敵を同一空間内で同時に併用することにより従来の技術を凌駕した誘引効果が達成されるので、安全・良質な農産物を安定生産させるために極めて有用である有害節足動物防除方法を汎用技術化することが可能となる。さらに本発明は、農家が受け入れ易く、かつ、化学合成殺虫剤の使用を必要最小限に抑えることができる。
【００３１】
本発明は、個別には、当該技術分野で既に提案された、有害節足動物に対して誘引性を有する化合物を使用する該有害節足動物の誘引方法を包含する方法と、有害節足動物に対する天敵を使用する該有害節足動物の忌避方法を包含する方法との組み合わせ使用に関する。このような組み合わせ使用は、有害節足動物の処置の必要な場所、例えば、施設栽培ハウスおよび露地での有害節足動物防除方法、施設栽培ハウスおよび露地における同一の空間で実施される。実施の時期は、本発明の目的に沿った所期の効果を達成できる限り、限定されるものでないが、いずれか一方の方法を先に、その他の方法を後に、相互にタイミングをずらして実施するか、または両者を同時に実施してもよい。こうすることにより、有害節足動物は、前記化合物により一定の場所に誘引され、一方で、前記天敵によりその場に留まることを忌避せしめることにより前記一定の場所に集める、新たな手段の組み合わせによる、所謂、プッシュ・プル法に該当し、Ｉ Ｐ Ｍ と呼ばれている総合防除技術のうちの一部分を構成する技術が提供される。そのため、それらを個別に用いた時の効果を加算した効果を凌駕する効果が得られる。したがって、化学合成殺虫剤の施用量を削減可能にするので施設栽培ハウスおよび露地での有害節足動物防除方法において用いられる化学合成殺虫剤に対する有害節足動物における薬剤抵抗性の発達を抑制することも可能になる。
【００３２】
本発明の方法または組み合わせ物において処置の対象となる有害節足動物としては、限定されるものでないが、例えば、アザミウマ類、コナジラミ類、アブラムシ類、ハモグリバエ類、カメムシ目類、チョウ目、並びに、ハダニ類、等を挙げることができる。処置は、広範な概念として使用しており、概括的には、当該動物の誘引反応の促進が達成できるように、当該動物が取り扱われることを意味する。
【００３３】
本発明において、「相乗作用」または「相乗的に作用する」とは、特定の有害節足動物個体群に対して誘引性を有する特定の化合物より選ばれる少なくとも１種の化合物と特定の有害節足動物個体群に対する1種以上の特定の天敵とを同時に組み合わせた場合の誘引効果が、当該組み合わせの期待される効果（所謂、相加的な効果）より有意に高くなる作用を意味する。一般に、与えられた１種類の誘引成分化合物と1種類の天敵を併用して処理した際に期待される誘引相乗効果は下記の式１のコルビーの計算式により求められる。
「式１」；Ｅ＝Ｘ＋Ｙ−（Ｘ＊Ｙ）／１００
Ｘ：有効成分化合物Ａを処理したときの誘引率
Ｙ：天敵Ｂを処理したときの誘引率
Ｅ：有効成分化合物Ａおよび天敵Ｂを併用して処理したときに期待される誘引率（誘引率期待値）
誘引物質と天敵を組み合わせた場合の誘引率が、誘引率期待値以上であった場合に、誘引相乗効果を示すとみなされる（Ｓ．Ｒ．Ｃｏｌｂｙ，（１９６７）Ｗｅｅｄｓ，１５，２０−２２参照）。このような作用は、室内生物検定または、圃場試験を実施することにより、容易に確認することができる。
【００３４】
したがって、本発明にいう、「有害節足動物を相乗的に誘引する態様」とは、有害節足動物に対して誘引性を有する化合物と天敵とが、それらの処置を必要とする同一の空間に置かれたときに、上記の等式に計算した場合に、誘引率期待値を超える値となるように、それらの組み合わせが選択されている状態を意味する。こうして、上記のような誘引性の相乗作用を確認できるものであれば、有害節足動物に対して誘引性を有する化合物よりなる群から選ばれる１種以上の化合物を誘引物質として用いる場合、天敵との組み合わせはいかなるものであっても本発明の範囲内に入る。
【００３５】
本発明で用いられる誘引物質として用いる化合物（以下、単に誘引物質をいう場合あり）は、対象の有害節足動物に誘引性を示す物質であればよい。限定されるものでないが、例えば、動物由来のカイロモンまたは植物由来のカイロモンである、ｐ−アニスアルデヒド、ベンズアルデヒド、ニコチン酸エチル、ゲラニオール、リナロール、ネロール、シトロネロール、ｏ−アニスアルデヒド、β−ファルネセン、アントラニル酸メチル、安息香酸メチル、ｏ−アミノアセトフェノン、ｏ−アニシジン、ｍ−アミノ安息香酸メチル、ｏ−トルイル酸メチル、オイゲノール、３−フェニルプロピルアルデヒド、シンナムアルデヒド、ユーカリプトール、スクアレン、α−ヘキシルシンナムアルデヒド、その他誘引物質であるネリル−Ｓ−メチルブタノエート、ラバンズリルアセテート、イソニコチン酸エチル、イソニコチン酸メチル、イソニコチン酸プロピル、イソニコチン酸イソプロピル、２−クロロ-イソニコチン酸エチル、ピリジン４−(１，３−ジオキソラン−２−イル) 、ジ−イソプロピルイソニコチンアミド、４−ホルミルピリジン、メチル４−ピリジルケトン、エチル４−ピリジルケトン、プロピル４−ピリジルケトン、青葉アルコール、青葉アルデヒド、青葉アセテート、α−ピネン、β−ピネン、アネトール、メチルオイゲノール、メチルフェニルアセテート、フェニルエチルプロピオネート、Ｚ５−テトラデセン酸メチル、（Ｒ・Ｚ）−（−）−５−（１−デセニル）オキサシクロペンタン−２−オン、シス−７−テトラデセン−２−オン、トランス−７−テトラデセン−２−オン、２，６−ジメチルオクチルホルメート、２，６−ジメチルオクタン−１−オール、２，３−ジヒドロ−２，３，５−トリメチル−６−（１−メチル−２−ブテニル）−４Ｈ−ピラン−４−オン、４，６−ジメチル−７−ヒドロキシノナン−３−オン、２，６−ジメチルオクタン−１−オール、（３Ｚ，６Ｚ，９Ｓ，１０Ｒ）−９，１０−エポキシ−３，６−ヘニコサジエン、（３Ｚ，６Ｚ，９Ｓ，１０Ｒ）−９，１０−エポキシ−１，３，６−ヘニコサトリエン、Ｚ９，Ｚ１２，Ｚ１５−オクタデカトリエナール、（Ｅ）−９，１１−ドデカジエニルブチラート、（Ｅ）−９，１１−ドデカジエニルヘキサノアート、（Ｚ）−３−ドデセニル（Ｅ）−２−ブテノアート、ミルセン、カンフェン、３−カレン、Ｚ３−ドデセニルＥ２−ブテノアート、ｎ−ヘキシル  ｎ−ヘキセノアート、ｎ−オクチル  ｎ−ブチレート、Ｅ−２−ヘキセニル  ｎ−ヘキセノアート、３−メチル−６−イソプロペニル−９−デセニールアセテート、３Ｚ−３−メチル−６−イソプロペニル−３，９−デカジエニルアセテート、４−（ｐ−アセトキシフェニル）−２−ブタノン、４−（ｐ−プロピオニルオキシフェニル）−２−ブタノン、４−（ｐ−ヒドロキシフェニル）−２−ブタノン、４−（ｐ−ブチリルオキシフェニル）−２−ブタノン、４−（ｐ−イソバレリルオキシフェニル）−２−ブタノン、４−（ｐ−メトキシフェニル）−２−ブタノン、酢酸フェネチル、プロピオン酸フェネチル、アクリル酸フェネチル、酢酸フェネチル、シクロプロパンカルボン酸フェネチル、ヒドロ桂皮酸エチル、４−フェニル酪酸メチル、酢酸−２−シクロヘキシルエチル、プロピオン酸−２−シクロヘキシルエチル、クロトン酸ヘプチル、２−ペンテン酸ヘキシル、２−ペンテン酸ヘプチル、チグリン酸ヘキシル、チグリン酸ヘプシル、２−ヘキセン酸ヘキシル、２−ヘプチン酸エチル、ペンタン酸シクロヘキシル、シクロヘキサン酢酸プロピル、（Ｚ）−５−（１−デセニル）ジヒドロ−２（３Ｈ）−フラノン、Ｚ５−テトラデセン酸メチル、Ｚ，Ｅ−ファルネゾール、Ｚ−ネロリドール、ステゴビノン、ステゴビオール、イソロイシンメチルなどが挙げられる。このうち、ｐ−アニスアルデヒド、ベンズアルデヒド、ニコチン酸エチル、ゲラニオール、リナロール、ネロール、シトロネロール、ｏ−アニスアルデヒド、β−ファルネセン、アントラニル酸メチル、安息香酸メチル、ｏ−アミノアセトフェノン、ｏ−アニシジン、ｍ−アミノ安息香酸メチル、ｏ−トルイル酸メチル、オイゲノール、３−フェニルプロピルアルデヒド、シンナムアルデヒド、ユーカリプトール、スクアレン、α−ヘキシルシンナムアルデヒドを含むことが好ましく、ｐ−アニスアルデヒド、ベンズアルデヒド、ニコチン酸エチル、ゲラニオール、リナロール、ネロール、シトロネロール、アントラニル酸メチル、安息香酸メチル、ｏ−アミノアセトフェノン、ｏ−アニシジン、ｍ−アミノ安息香酸メチル、ｏ−トルイル酸メチル、α−ヘキシルシンナムアルデヒドを含むことがより好ましく、ｐ−アニスアルデヒド、ベンズアルデヒド、ニコチン酸エチル、アントラニル酸メチル、安息香酸メチル、ｏ−アミノアセトフェノン、ｏ−アニシジン、ｍ−アミノ安息香酸メチル、ｏ−トルイル酸メチル、α−ヘキシルシンナムアルデヒドを含むことがさらに好ましい。
【００３６】
上記誘引物質は１種類だけを用いることに限定されず、２種以上の化合物を組み合わせて用いてもよく、その比率はいかなるものであってもよい。しかし、例えば、２種の化合物の組み合わせにあっては限定されるものではないが、２種類の化合物の組み合わせの重量比率が０．０９９９〜９９．９００１：９９．９００１〜０．０９９９、好ましくは０．１９９６〜９９．８００４：９９．８００４〜０．１９９６、より好ましくは０．９９〜９０．０１：９０．０１〜０．９９であることができる。
【００３７】
上記誘引物質は３種以上の化合物を組み合わせて用いてもよく、その比率はいかなるものであってもよい。しかし、例えば、３種の化合物の組み合わせにあっては限定されるものではないが、３種類の化合物の組み合わせの重量比率が０．０９９８〜９９．８００４：９９．８００４〜０．０９９８：０．０９９８〜９９．８００４、好ましくは０．１９９２〜９９．６０１６：９９．６０１６〜０．１９９２：０．１９９２〜９９．６０１６、より好ましくは０．９８０３９〜９８．０３９２２：９８．０３９２２〜０．９８０３９：０．９８０３９〜９８．０３９２２であることができる。
【００３８】
本発明に用いられる誘引物質はいずれも公知の化合物であり、これらの公知の化合物は市販のものをそのまま用いるか、市販の製剤から得るか、公知の方法により合成したものを用いることができる。本発明に用いられる誘引物質は、誘引性を有する化合物群から選ばれる１種類以上の化合物をそのまま、または適当な溶剤、例えば、ヘキサン、キシレン、アセトン、ジクロロメタンなどに溶かして溶液とするか、さらに、この溶液を適当な担体または保持体、例えば紙、布などに含浸させて製剤化して使用することも可能である。また、上記２種類以上の誘引活性物質を別々に製剤化して同一箇所において組み合わせて使用することも可能である。
【００３９】
本発明で用いる誘引物質は、粘着トラップ、コーントラップ、ファネルトラップ、水盤トラップ等の捕獲器に誘引源として用いることにより有害節足動物を効率的に捕殺することが可能である。本発明の誘引物質を誘引源として利用する捕獲器は、有害節足動物の発生場所、または飛来地域、すなわち室内、施設内、あるいは野外に設置して使用することも可能である。また捕獲器は着色して使用してもよい。
【００４０】
本発明の誘引物質と天敵の組み合わせ物はまた、有害節足動物によって起こる植物への被害を予測し、または最小限に抑える方法、またはかような方法の補助用としての使用も可能である。
【００４１】
本発明に用いられる天敵としては、例えば、捕食性天敵、寄生性天敵、天敵微生物などが挙げられる。このうち、前記天敵が捕食性天敵であるスワルスキーカブリダニ（Ａｍｂｌｙｓｅｉｕｓ  ｓｗｉｒｓｋｉｉ）、チリカブリダニ（Ｐｈｙｔｏｓｅｉｕｌｕｓ  ｐｅｒｓｉｍｉｌｉｓ）、ミヤコカブリダニ（Ｎｅｏｓｅｉｕｌｕｓ  ｃａｌｉｆｏｒｎｉｃｕｓ）、キイカブリダニ（Ｇｙｎａｅｓｅｉｕｓ  ｌｉｔｕｒｉｖｏｒｕｓ）、ヘヤカブリダニ（Ｎｅｏｓｅｉｕｌｕｓ  ｂａｒｋｅｒｉ）、リモニカスカブリダニ（Ａｍｂｌｙｄｒｏｍａｌｕｓ  ｌｉｍｏｎｉｃｕｓ）、ククメリスカブリダニ（Ａｍｂｌｙｓｅｉｕｓ  ｃｕｃｕｍｅｒｉｓ）、ニセラーゴカブリダニ（Ａｍｂｌｙｓｅｉｕｓ  ｅｈａｒａｉ）、コウスゲカブリダニ（Ｅｕｓｅｉｕｓ  ｓｏｊａｅｎｓｉｓ）、デジェネランスカブリダニ（Ａｍｂｌｙｓｅｉｕｓ  ｄｅｇｅｎｅｒａｎｓ）、ショクガタマバエ（Ａｐｈｉｄｏｌｅｔｅｓ  ａｐｈｉｄｉｍｙｚａ）、タイリクヒメハナカメムシ（Ｏｒｉｕｓ  ｓｔｒｉｇｉｃｏｌｌｉｓ）、ナミテントウ（Ｈａｒｍｏｎｉａ  ａｘｙｒｉｄｉｓ）、アリガタシマアザミウマ（Ｆｒａｎｋｌｉｎｏｔｈｒｉｐｓ  ｖｅｓｐｉｆｏｒｍｉｓ）、アカメガシワクダアザミウマ（Ｈａｐｌｏｔｈｒｉｐｓ  ｂｒｅｖｉｔｕｂｕｓ）、ヒメカメノコテントウ（Ｐｒｏｐｙｌｅａ  ｊａｐｏｎｉｃａ）、タバコカスミカメ（Ｎｅｓｉｄｉｏｃｏｒｉｓ  ｔｅｎｕｉｓ）、クロヒョウタンカスミカメ（Ｐｉｌｏｐｈｏｒｕｓ  ｔｙｐｉｃｕｓ）、ヤマトクサカゲロウ（Ｃｈｒｙｓｏｐｅｒｌａ  ｃａｒｎｅａ）、オオメカメムシ（Ｇｅｏｃｏｒｉｓ  ｖａｒｉｕｓ）、寄生性天敵であるオンシツツヤコバチ（Ｅｎｃａｒｓｉａ  ｆｏｒｍｏｓａ）、イサエアヒメコバチ（Ｄｉｇｌｙｐｈｕｓ  ｉｓａｅａ）、ハモグリコマユバチ（Ｄａｃｎｕｓａ  ｓｉｂｉｒｉｃａ）、コレマンアブラバチ（Ａｐｈｉｄｉｕｓ  ｃｏｌｅｍａｎｉ）、サバクツヤコバチ（Ｅｒｅｔｍｏｃｅｒｕｓ  ｅｒｅｍｉｃｕｓ）、ハモグリミドリヒメコバチ（Ｎｅｏｃｈｒｙｓｏｃｈａｒｉｓ  ｆｏｒｍｏｓａ）、チャバラアブラコバチ（Ａｐｈｅｌｉｎｕｓ  ａｓｙｃｈｉｓ）、コナガサムライコマユバチ（Ｃｏｔｅｓｉａ  ｖｅｓｔａｌｉｓ）、および天敵微生物であるパスツーリア  ペネトランス（Ｐａｓｔｅｕｒｉａ  ｐｅｎｅｔｒａｎｓ）、チャハマキ顆粒病ウイルス（Ｈｏｍｏｎａ  ｍａｇｎａｎｉｍａｇｒａｎｕｌｏｖｉｒｕｓ）、リンゴコカクモンハマキ顆粒病ウイルス（Ａｄｏｘｏｐｈｙｅｓ  ｏｒａｎａ  ｇｒａｎｕｌｏｖｉｒｕｓ）、スタイナーネマカーポカプサエ（Ｓｔｅｉｎｅｒｎｅｍａ  ｃａｒｐｏｃａｐｓａｅ）、スタイナーネマグラセライ（Ｓｔｅｉｎｅｒｎｅｍａ  ｇｌａｓｅｒｉ）、モナクロスポリウムフィマトパガム（Ｍｏｎａｃｒｏｓｐｏｒｉｕｍ  ｐｈｙｍａｔｏｐｈａｇｕｍ）、ボーベリアブロンニアティ（Ｂｅａｕｖｅｒｉａ  ｂｒｏｎｇｎｉａｒｔｉｉ）、ペキロマイセス  フモソロセウス（Ｐａｅｃｉｌｏｍｙｃｅｓ  ｆｕｍｏｓｏｒｏｓｅｕｓ）、ボベリアバシアーナ（Ｂｅａｕｖｅｒｉａ  ｂａｓｓｉａｎａ）、バーティシリウムレカニー（Ｖｅｒｔｉｃｉｌｌｉｕｍ  ｌｅｃａｎｉｉ）、ペキロマイセステヌイペス（Ｐａｅ��ｉｌｏｍｙｃｅｓ  ｔｅｎｕｉｐｅｓ）、ハスモンヨトウ核多角体病ウイルス（Ｓｐｏｄｏｐｔｅｒａ  ｌｉｔｕｒａ  Ｎｕｃｌｅｏｐｏｌｙｈｅｄｒｏｖｉｒｕｓ）、アグロバクテリウムラジオバクター（Ａｇｒｏｂａｃｔｅｒｉｕｍ  ｒａｄｉｏｂａｃｔｏｒ）、非病原性エルビニアカロトボーラ（Ｅｒｗｉｎｉａ  ｃａｒｏｔｏｖｏｒａ）、バチルスズブチリス（Ｂａｃｉｌｌｕｓ  ｓｕｂｔｉｌｉｓ）、タラロマイセス フラバス（Ｔａｌａｒｏｍｙｃｅｓ  Ｆｌａｖｕｓ）、バチルスシンプレクス（Ｂａｃｉｌｌｕｓ  ｓｉｍｐｌｅｘ）、トリコデルマアトロビリデ（Ｔｒｉｃｈｏｄｅｒｍａ  Ａｔｒｏｖｉｒｉｄｅ）、シュードモナスフルオレッセンス（Ｐｓｅｕｄｏｍｏｎａｓ  ｆｌｕｏｒｅｓｃｅｎｓ）、コニオチリウムミニタンス（Ｃｏｎｉｏｔｈｙｒｉｕｍ  ｍｉｎｉｔａｎｓ）、ズッキーニ黄斑モザイクウイルス（Ｚｕｃｃｈｉｎｉ  ｙｅｌｌｏｗ  ｍｏｓａｉｃ  ｖｉｒｕｓ）、バチルスチューリンゲンシス（Ｂａｃｉｌｌｕｓ  ｔｈｕｒｉｎｇｉｅｎｓｉｓ）を含むことが好ましく、捕食性天敵であるスワルスキーカブリダニ（Ａｍｂｌｙｓｅｉｕｓ  ｓｗｉｒｓｋｉｉ）、チリカブリダニ（Ｐｈｙｔｏｓｅｉｕｌｕｓ  ｐｅｒｓｉｍｉｌｉｓ）、ミヤコカブリダニ（Ｎｅｏｓｅｉｕｌｕｓ  ｃａｌｉｆｏｒｎｉｃｕｓ）、キイカブリダニ（Ｇｙｎａｅｓｅｉｕｓ  ｌｉｔｕｒｉｖｏｒｕｓ）、ヘヤカブリダニ（Ｎｅｏｓｅｉｕｌｕｓ  ｂａｒｋｅｒｉ）、リモニカスカブリダニ（Ａｍｂｌｙｄｒｏｍａｌｕｓ  ｌｉｍｏｎｉｃｕｓ）、ククメリスカブリダニ（Ａｍｂｌｙｓｅｉｕｓ  ｃｕｃｕｍｅｒｉｓ）、ニセラーゴカブリダニ（Ａｍｂｌｙｓｅｉｕｓ  ｅｈａｒａｉ）、コウスゲカブリダニ（Ｅｕｓｅｉｕｓ  ｓｏｊａｅｎｓｉｓ）、デジェネランスカブリダニ（Ａｍｂｌｙｓｅｉｕｓ  ｄｅｇｅｎｅｒａｎｓ）、ショクガタマバエ（Ａｐｈｉｄｏｌｅｔｅｓ  ａｐｈｉｄｉｍｙｚａ）、タイリクヒメハナカメムシ（Ｏｒｉｕｓ  ｓｔｒｉｇｉｃｏｌｌｉｓ）、ナミテントウ（Ｈａｒｍｏｎｉａ  ａｘｙｒｉｄｉｓ）、アリガタシマアザミウマ（Ｆｒａｎｋｌｉｎｏｔｈｒｉｐｓ  ｖｅｓｐｉｆｏｒｍｉｓ）、アカメガシワクダアザミウマ（Ｈａｐｌｏｔｈｒｉｐｓ  ｂｒｅｖｉｔｕｂｕｓ）、ヒメカメノコテントウ（Ｐｒｏｐｙｌｅａ  ｊａｐｏｎｉｃａ）、タバコカスミカメ（Ｎｅｓｉｄｉｏｃｏｒｉｓ  ｔｅｎｕｉｓ）、クロヒョウタンカスミカメ（Ｐｉｌｏｐｈｏｒｕｓ  ｔｙｐｉｃｕｓ）、ヤマトクサカゲロウ（Ｃｈｒｙｓｏｐｅｒｌａ  ｃａｒｎｅａ）、オオメカメムシ（Ｇｅｏｃｏｒｉｓ  ｖａｒｉｕｓ）、および寄生性天敵であるオンシツツヤコバチ（Ｅｎｃａｒｓｉａ  ｆｏｒｍｏｓａ）、イサエアヒメコバチ（Ｄｉｇｌｙｐｈｕｓ  ｉｓａｅａ）、ハモグリコマユバチ（Ｄａｃｎｕｓａ  ｓｉｂｉｒｉｃａ）、コレマンアブラバチ（Ａｐｈｉｄｉｕｓ  ｃｏｌｅｍａｎｉ）、サバクツヤコバチ（Ｅｒｅｔｍｏｃｅｒｕｓ  ｅｒｅｍｉｃｕｓ）、ハモグリミドリヒメコバチ（Ｎｅｏｃｈｒｙｓｏｃｈａｒｉｓ  ｆｏｒｍｏｓａ）、チャバラアブラコバチ（Ａｐｈｅｌｉｎｕｓ  ａｓｙｃｈｉｓ）、コナガサムライコマユバチ（Ｃｏｔｅｓｉａ  ｖｅｓｔａｌｉｓ）、を含むことがより好ましく、捕食性天敵であ��スワルスキーカブリダニ（Ａｍｂｌｙｓｅｉｕｓ  ｓｗｉｒｓｋｉｉ）、チリカブリダニ（Ｐｈｙｔｏｓｅｉｕｌｕｓ  ｐｅｒｓｉｍｉｌｉｓ）、ミヤコカブリダニ（Ｎｅｏｓｅｉｕｌｕｓ  ｃａｌｉｆｏｒｎｉｃｕｓ）、キイカブリダニ（Ｇｙｎａｅｓｅｉｕｓ  ｌｉｔｕｒｉｖｏｒｕｓ）、ヘヤカブリダニ（Ｎｅｏｓｅｉｕｌｕｓ  ｂａｒｋｅｒｉ）、リモニカスカブリダニ（Ａｍｂｌｙｄｒｏｍａｌｕｓ  ｌｉｍｏｎｉｃｕｓ）、ククメリスカブリダニ（Ａｍｂｌｙｓｅｉｕｓ  ｃｕｃｕｍｅｒｉｓ）、ニセラーゴカブリダニ（Ａｍｂｌｙｓｅｉｕｓ  ｅｈａｒａｉ）、コウスゲカブリダニ（Ｅｕｓｅｉｕｓ  ｓｏｊａｅｎｓｉｓ）、デジェネランスカブリダニ（Ａｍｂｌｙｓｅｉｕｓ  ｄｅｇｅｎｅｒａｎｓ）、ショクガタマバエ（Ａｐｈｉｄｏｌｅｔｅｓ  ａｐｈｉｄｉｍｙｚａ）、タイリクヒメハナカメムシ（Ｏｒｉｕｓ  ｓｔｒｉｇｉｃｏｌｌｉｓ）、ナミテントウ（Ｈａｒｍｏｎｉａ  ａｘｙｒｉｄｉｓ）、アリガタシマアザミウマ（Ｆｒａｎｋｌｉｎｏｔｈｒｉｐｓ  ｖｅｓｐｉｆｏｒｍｉｓ）、アカメガシワクダアザミウマ（Ｈａｐｌｏｔｈｒｉｐｓ  ｂｒｅｖｉｔｕｂｕｓ）、ヒメカメノコテントウ（Ｐｒｏｐｙｌｅａ  ｊａｐｏｎｉｃａ）、タバコカスミカメ（Ｎｅｓｉｄｉｏｃｏｒｉｓ  ｔｅｎｕｉｓ）、クロヒョウタンカスミカメ（Ｐｉｌｏｐｈｏｒｕｓ  ｔｙｐｉｃｕｓ）、ヤマトクサカゲロウ（Ｃｈｒｙｓｏｐｅｒｌａ  ｃａｒｎｅａ）、オオメカメムシ（Ｇｅｏｃｏｒｉｓ  ｖａｒｉｕｓ）を含むことがさらに好ましい。
【００４２】
上記のような相乗作用を確認できるものであれば、２種以上の天敵を用いる場合、その組み合わせはいかなるものであってもよい。
【００４３】
本発明において用いられる有害節足動物に対する天敵の放飼量は、捕食性天敵あるいは寄生性天敵の場合は、０．０１ 〜 ２００頭／ｍ2、好ましくは０．１ 〜 １００頭／ｍ2、より好ましくは１ 〜 ５０頭／ｍ2であることができ、天敵微生物の場合は０．１〜２０ｋｇ／ｈａ、好ましくは０．５〜１０ｋｇ／ｈａ、より好もしくは１〜５ｋｇ／ｈａであることができる。
【００４４】
本発明に用いられるスワルスキーカブリダニ、チリカブリダニ、ミヤコカブリダニ、キイカブリダニ、ヘヤカブリダニ、リモニカスカブリダニ、ククメリスカブリダニ、ニセラーゴカブリダニ、コウヅケカブリダニ、デジェネランスカブリダニ、ショクガタマバエ、タイリクヒメハナカメムシ、ナミテントウ、アリガタシマアザミウマ、アカメガシワクダアザミウマ、ヒメカメノコテントウ、タバコカスミカメ、クロヒョウタンカスミカメ、ヤマトクサカゲロウ、オオメカメムシ、オンシツツヤコバチ、イサエアヒメコバチ、ハモグリコマユバチ、コレマンアブラバチ、サバクツヤコバチ、ハモグリミドリヒメコバチ、チャバラアブラコバチ、コナガサムライコマユバチ、パスツーリアペネトランス、チャハマキ顆粒病ウイルス、リンゴコカクモンハマキ顆粒病ウイルス、スタイナーネマカーポカプサエ、スタイナーネマグラセライ、モナクロスポリウムフィマトパガム、ボーベリアブロンニアティ、ペキロマイセスフモソロセウス、ボベリアバシアーナ、バーティーシリウムレカニ、ペキロマイセステヌイペス、ハスモンヨトウ核多角体病ウイルス、アグロバクテリウムラジオバクター、非病原性エルビニアカロトボーラ、バチルスズブチリス、タラロマイセスフラバス、バチルスシンプレクス、トリコデルマアトロビリデ、シュードモナスフルオレッセンス、コニオチリウムミニタンス、ズッキーニ黄斑モザイクウイルス、バチルスチューリンゲンシスは公知の天敵であり、これらの天敵は市販の製剤から得るか、天然に存在し採取されたものや自製されたものを用いることにより得られる。
【００４５】
本発明では、用いられる天敵の成長速度が有害節足動物の成長速度を上回る環境条件を有する生物的防除方法であることが望ましい。このような環境条件としては、例えば、天敵の発育適温域に含まれる温度条件に適応する作物の栽培型を選択することや、当該温度条件（ 具体的には例えば、発育零点以上の温度条件、好ましくは飛翔可能限界温度以上、より好ましくは産卵限界温度以上の温度条件）に施設栽培ハウス内の温度を設定すること等を選択することができ、有害節足動物の個体数よりも天敵の個体数の自然増加率が上回るようにすればよい。なお、あらかじめ前記天敵及び有害節足動物の発育零点、飛翔可能限界温度、産卵限界温度等に係る情報を収集、蓄積しておき、蓄積された各種の情報に基づき有害節足動物の発育よりも前記天敵の発育により適切な温度条件を選択することもできる。
生物的防除の目的で、天敵の成長速度が有害節足動物の成長速度を上回る環境条件を有するか否かを確認する方法には、経験則に基づくものであってもよく、また定量的な手段だけでなく定性的な手段であってもよい。例えば、上述のような環境条件を有するか否かを確認したり、また農作物当たりに見出される天敵の頭数（ 例えば、１ ０ − ２ ０ 花に１ 頭以上） 等の存在を調査・観察したり、天敵の放飼後に自然発生した土着天敵の増加を観察・確認してもよい。当該生物的防除方法では、天敵の放飼に際しては、有害節足動物の発生初期段階から１週間間隔で、例えば２ 〜 ３ 回程度等の複数回放飼して天敵を定着させることも好ましい。
【００４６】
本発明における組み合わせ物では、上述したとおり、誘引物質と天敵の組み合わせが、同時にあるいは任意の所望の順番で同一空間となる施設ハウス内あるいは露地に施用されることにより存在し得る。
【００４７】
本発明の誘引物質と天敵の組み合わせは、具体的には、後述される植物由来のカイロモンおよびその類縁体から選ばれる化合物群よりなる群から選ばれる少なくとも１種の化合物と、後述される天敵よりなる群から選ばれる少なくとも１種の天敵との組み合わせであることができる。誘引物質の組み合わせとしては、
１）スワルスキーカブリダニ、ｐ−アニスアルデヒド
２）スワルスキーカブリダニ、ベンズアルデヒド
３）スワルスキーカブリダニ、ニコチン酸エチル
４）スワルスキーカブリダニ、ゲラニオール
５）スワルスキーカブリダニ、リナロール
６）スワルスキーカブリダニ、ネロール
７）スワルスキーカブリダニ、シトロネロール
８）スワルスキーカブリダニ、ｏ−アニスアルデヒド
９）スワルスキーカブリダニ、β−ファルネセン
１０）スワルスキーカブリダニ、アントラニル酸メチル
１１）スワルスキーカブリダニ、安息香酸メチル
１２）スワルスキーカブリダニ、ｏ−アミノアセトフェノン
１３）スワルスキーカブリダニ、ｏ−アニシジン
１４）スワルスキーカブリダニ、ｍ−アミノ安息香酸メチル
１５）スワルスキーカブリダニ、ｏ−トルイル酸メチル
１６）スワルスキーカブリダニ、オイゲノール
１７）スワルスキーカブリダニ、３−フェニルプロピルアルデヒド
１８）スワルスキーカブリダニ、シンナムアルデヒド
１９）スワルスキーカブリダニ、ユーカリプトール
２０）スワルスキーカブリダニ、スクアレン
２１）スワルスキーカブリダニ、α−ヘキシルシンナムアルデヒド
２２）タイリクヒメハナカメムシ、ｐ−アニスアルデヒド
２３）タイリクヒメハナカメムシ、ベンズアルデヒド
２４）タイリクヒメハナカメムシ、ニコチン酸エチル
２５）タイリクヒメハナカメムシ、ゲラニオール
２６）タイリクヒメハナカメムシ、リナロール
２７）タイリクヒメハナカメムシ、ネロール
２８）タイリクヒメハナカメムシ、シトロネロール
２９）タイリクヒメハナカメムシ、ｏ−アニスアルデヒド
３０）タイリクヒメハナカメムシ、β−ファルネセン
３１）タイリクヒメハナカメムシ、アントラニル酸メチル
３２）タイリクヒメハナカメムシ、安息香酸メチル
３３）タイリクヒメハナカメムシ、ｏ−アミノアセトフェノン
３４）タイリクヒメハナカメムシ、ｏ−アニシジン
３５）タイリクヒメハナカメムシ、ｍ−アミノ安息香酸メチル
３６）タイリクヒメハナカメムシ、ｏ−トルイル酸メチル
３７）タイリクヒメハナカメムシ、オイゲノール
３８）タイリクヒメハナカメムシ、３−フェニルプロピルアルデヒド
３９）タイリクヒメハナカメムシ、シンナムアルデヒド
４０）タイリクヒメハナカメムシ、ユーカリプトール
４１）タイリクヒメハナカメムシ、スクアレン
４２）タイリクヒメハナカメムシ、α−ヘキシルシンナムアルデヒド
４３）チリカブリダニ、ｐ−アニスアルデヒド
４４）チリカブリダニ、ベンズアルデヒド
４５）チリカブリダニ、ニコチン酸エチル
４６）チリカブリダニ、ゲラニオール
４７）チリカブリダニ、リナロール
４８）チリカブリダニ、ネロール
４９）チリカブリダニ、シトロネロール
５０）チリカブリダニ、ｏ−アニスアルデヒド
５１）チリカブリダニ、β−ファルネセン
５２）チリカブリダニ、アントラニル酸メチル
５３）チリカブリダニ、安息香酸メチル
５４）チリカブリダニ、ｏ−アミノアセトフェノン
５５）チリカブリダニ、ｏ−アニシジン
５６）チリカブリダニ、ｍ−アミノ安息香酸メチル
５７）チリカブリダニ、ｏ−トルイル酸メチル
５８）チリカブリダニ、オイゲノール
５９）チリカブリダニ、３−フェニルプロピルアルデヒド
６０）チリカブリダニ、シンナムアルデヒド
６１）チリカブリダニ、ユーカリプトール
６２）チリカブリダニ、スクアレン
６３）チリカブリダニ、α−ヘキシルシンナムアルデヒド
６４）ミヤコカブリダニ、ｐ−アニスアルデヒド
６５）ミヤコカブリダニ、ベンズアルデヒド
６６）ミヤコカブリダニ、ニコチン酸エチル
６７）ミヤコカブリダニ、ゲラニオール
６８）ミヤコカブリダニ、リナロール
６９）ミヤコカブリダニ、ネロール
７０）ミヤコカブリダニ、シトロネロール
７１）ミヤコカブリダニ、ｏ−アニスアルデヒド
７２）ミヤコカブリダニ、β−ファルネセン
７３）ミヤコカブリダニ、アントラニル酸メチル
７４）ミヤコカブリダニ、安息香酸メチル
７５）ミヤコカブリダニ、ｏ−アミノアセトフェノン
７６）ミヤコカブリダニ、ｏ−アニシジン
７７）ミヤコカブリダニ、ｍ−アミノ安息香酸メチル
７８）ミヤコカブリダニ、ｏ−トルイル酸メチル
７９）ミヤコカブリダニ、オイゲノール
８０）ミヤコカブリダニ、３−フェニルプロピルアルデヒド
８１）ミヤコカブリダニ、シンナムアルデヒド
８２）ミヤコカブリダニ、ユーカリプトール
８３）ミヤコカブリダニ、スクアレン
８４）ミヤコカブリダニ、α−ヘキシルシンナムアルデヒド
８５）タバコカスミカメ、ｐ−アニスアルデヒド
８６）タバコカスミカメ、ベンズアルデヒド
８７）タバコカスミカメ、ニコチン酸エチル
８８）タバコカスミカメ、ゲラニオール
８９）タバコカスミカメ、リナロール
９０）タバコカスミカメ、ネロール
９１）タバコカスミカメ、シトロネロール
９２）タバコカスミカメ、ｏ−アニスアルデヒド
９３）タバコカスミカメ、β−ファルネセン
９４）タバコカスミカメ、アントラニル酸メチル
９５）タバコカスミカメ、安息香酸メチル
９６）タバコカスミカメ、ｏ−アミノアセトフェノン
９７）タバコカスミカメ、ｏ−アニシジン
９８）タバコカスミカメ、ｍ−アミノ安息香酸メチル
９９）タバコカスミカメ、ｏ−トルイル酸メチル
１００）タバコカスミカメ、オイゲノール
１０１）タバコカスミカメ、３−フェニルプロピルアルデヒド
１０２）タバコカスミカメ、シンナムアルデヒド
１０３）タバコカスミカメ、ユーカリプトール
１０４）タバコカスミカメ、スクアレン
１０５）タバコカスミカメ、α−ヘキシルシンナムアルデヒド
１０６）オンシツツヤコバチ、ｐ−アニスアルデヒド
１０７）オンシツツヤコバチ、ベンズアルデヒド
１０８）オンシツツヤコバチ、ニコチン酸エチル
１０９）オンシツツヤコバチ、ゲラニオール
１１０）オンシツツヤコバチ、リナロール
１１１）オンシツツヤコバチ、ネロール
１１２）オンシツツヤコバチ、シトロネロール
１１３）オンシツツヤコバチ、ｏ−アニスアルデヒド
１１４）オンシツツヤコバチ、β−ファルネセン
１１５）オンシツツヤコバチ、アントラニル酸メチル
１１６）オンシツツヤコバチ、安息香酸メチル
１１７）オンシツツヤコバチ、ｏ−アミノアセトフェノン
１１８）オンシツツヤコバチ、ｏ−アニシジン
１１９）オンシツツヤコバチ、ｍ−アミノ安息香酸メチル
１２０）オンシツツヤコバチ、ｏ−トルイル酸メチル
１２１）オンシツツヤコバチ、オイゲノール
１２２）オンシツツヤコバチ、３−フェニルプロピルアルデヒド
１２３）オンシツツヤコバチ、シンナムアルデヒド
１２４）オンシツツヤコバチ、ユーカリプトール
１２５）オンシツツヤコバチ、スクアレン
１２６）オンシツツヤコバチ、α−ヘキシルシンナムアルデヒド
１２７）コレマンアブラバチ、ｐ−アニスアルデヒド
１２８）コレマンアブラバチ、ベンズアルデヒド
１２９）コレマンアブラバチ、ニコチン酸エチル
１３０）コレマンアブラバチ、ゲラニオール
１３１）コレマンアブラバチ、リナロール
１３２）コレマンアブラバチ、ネロール
１３３）コレマンアブラバチ、シトロネロール
１３４）コレマンアブラバチ、ｏ−アニスアルデヒド
１３５）コレマンアブラバチ、β−ファルネセン
１３６）コレマンアブラバチ、アントラニル酸メチル
１３７）コレマンアブラバチ、安息香酸メチル
１３８）コレマンアブラバチ、ｏ−アミノアセトフェノン
１３９）コレマンアブラバチ、ｏ−アニシジン
１４０）コレマンアブラバチ、ｍ−アミノ安息香酸メチル
１４１）コレマンアブラバチ、ｏ−トルイル酸メチル
１４２）コレマンアブラバチ、オイゲノール
１４３）コレマンアブラバチ、３−フェニルプロピルアルデヒド
１４４）コレマンアブラバチ、シンナムアルデヒド
１４５）コレマンアブラバチ、ユーカリプトール
１４６）コレマンアブラバチ、スクアレン
１４７）コレマンアブラバチ、α−ヘキシルシンナムアルデヒド
１４８）バーティシリウムレカニ、ｐ−アニスアルデヒド
１４９）バーティシリウムレカニ、ベンズアルデヒド
１５０）バーティシリウムレカニ、ニコチン酸エチル
１５１）バーティシリウムレカニ、ゲラニオール
１５２）バーティシリウムレカニ、リナロール
１５３）バーティシリウムレカニ、ネロール
１５４）バーティシリウムレカニ、シトロネロール
１５５）バーティシリウムレカニ、ｏ−アニスアルデヒド
１５６）バーティシリウムレカニ、β−ファルネセン
１５７）バーティシリウムレカニ、アントラニル酸メチル
１５８）バーティシリウムレカニ、安息香酸メチル
１５９）バーティシリウムレカニ、ｏ−アミノアセトフェノン
１６０）バーティシリウムレカニ、ｏ−アニシジン
１６１）バーティシリウムレカニ、ｍ−アミノ安息香酸メチル
１６２）バーティシリウムレカニ、ｏ−トルイル酸メチル
１６３）バーティシリウムレカニ、オイゲノール
１６４）バーティシリウムレカニ、３−フェニルプロピルアルデヒド
１６５）バーティシリウムレカニ、シンナムアルデヒド
１６６）バーティシリウムレカニ、ユーカリプトール
１６７）バーティシリウムレカニ、スクアレン
１６８）バーティシリウムレカニ、α−ヘキシルシンナムアルデヒド
１６９）パスツーリアペネトランス、ｐ−アニスアルデヒド
１７０）パスツーリアペネトランス、ベンズアルデヒド
１７１）パスツーリアペネトランス、ニコチン酸エチル
１７２）パスツーリアペネトランス、ゲラニオール
１７３）パスツーリアペネトランス、リナロール
１７４）パスツーリアペネトランス、ネロール
１７５）パスツーリアペネトランス、シトロネロール
１７６）パスツーリアペネトランス、ｏ−アニスアルデヒド
１７７）パスツーリアペネトランス、β−ファルネセン
１７８）パスツーリアペネトランス、アントラニル酸メチル
１７９）パスツーリアペネトランス、安息香酸メチル
１８０）パスツーリアペネトランス、ｏ−アミノアセトフェノン
１８１）パスツーリアペネトランス、ｏ−アニシジン
１８２）パスツーリアペネトランス、ｍ−アミノ安息香酸メチル
１８３）パスツーリアペネトランス、ｏ−トルイル酸メチル
１８４）パスツーリアペネトランス、オイゲノール
１８５）パスツーリアペネトランス、３−フェニルプロピルアルデヒド
１８６）パスツーリアペネトランス、シンナムアルデヒド
１８７）パスツーリアペネトランス、ユーカリプトール
１８８）パスツーリアペネトランス、スクアレン
１８９）パスツーリアペネトランス、α−ヘキシルシンナムアルデヒド
１９０）ボーベリアバシアーナ、ｐ−アニスアルデヒド
１９１）ボーベリアバシアーナ、ベンズアルデヒド
１９２）ボーベリアバシアーナ、ニコチン酸エチル
１９３）ボーベリアバシアーナ、ゲラニオール
１９４）ボーベリアバシアーナ、リナロール
１９５）ボーベリアバシアーナ、ネロール
１９６）ボーベリアバシアーナ、シトロネロール
１９７）ボーベリアバシアーナ、ｏ−アニスアルデヒド
１９８）ボーベリアバシアーナ、β−ファルネセン
１９９）ボーベリアバシアーナ、アントラニル酸メチル
２００）ボーベリアバシアーナ、安息香酸メチル
２０１）ボーベリアバシアーナ、ｏ−アミノアセトフェノン
２０２）ボーベリアバシアーナ、ｏ−アニシジン
２０３）ボーベリアバシアーナ、ｍ−アミノ安息香酸メチル
２０４）ボーベリアバシアーナ、ｏ−トルイル酸メチル
２０５）ボーベリアバシアーナ、オイゲノール
２０６）ボーベリアバシアーナ、３−フェニルプロピルアルデヒド
２０７）ボーベリアバシアーナ、シンナムアルデヒド
２０８）ボーベリアバシアーナ、ユーカリプトール
２０９）ボーベリアバシアーナ、スクアレン
２１０）ボーベリアバシアーナ、α−ヘキシルシンナムアルデヒド
２１１）バチルスチューリンゲンシス、ｐ−アニスアルデヒド
２１２）バチルスチューリンゲンシス、ベンズアルデヒド
２１３）バチルスチューリンゲンシス、ニコチン酸エチル
２１４）バチルスチューリンゲンシス、ゲラニオール
２１５）バチルスチューリンゲンシス、リナロール
２１６）バチルスチューリンゲンシス、ネロール
２１７）バチルスチューリンゲンシス、シトロネロール
２１８）バチルスチューリンゲンシス、ｏ−アニスアルデヒド
２１９）バチルスチューリンゲンシス、β−ファルネセン
２２０）バチルスチューリンゲンシス、アントラニル酸メチル
２２１）バチルスチューリンゲンシス、安息香酸メチル
２２２）バチルスチューリンゲンシス、ｏ−アミノアセトフェノン
２２３）バチルスチューリンゲンシス、ｏ−アニシジン
２２４）バチルスチューリンゲンシス、ｍ−アミノ安息香酸メチル
２２５）バチルスチューリンゲンシス、ｏ−トルイル酸メチル
２２６）バチルスチューリンゲンシス、オイゲノール
２２７）バチルスチューリンゲンシス、３−フェニルプロピルアルデヒド
２２８）バチルスチューリンゲンシス、シンナムアルデヒド
２２９）バチルスチューリンゲンシス、ユーカリプトール
２３０）バチルスチューリンゲンシス、スクアレン
２３１）バチルスチューリンゲンシス、α−ヘキシルシンナムアルデヒド
を挙げることができる。上記１）〜２３１）に列挙された天敵及び誘引物質は、本発明の目的に沿う効果を奏する限り、それぞれ、２種以上を併用することもできる。
【００４８】
有害節足動物は、誘引物質を設置した捕獲器に捕獲された生物数を計測することで調査することができる。推定された個体群密度に基づいて、防除の必要性が判断される。有害節足動物の大量の捕獲は、本発明によって提供される、有害節足動物除去の方法を必要とする。反対に、有害節足動物が低密度である場合、必ずしも迅速な防除を必要としない。
【００４９】
例えば、本発明の誘引物質は、必要により製剤化して、捕獲器内に設置することができる。このような捕獲器は、誘引物質の有効量を放出するように設計されている。当該捕獲器は、有害節足動物が発生、または発生が予測される場所に設置される。誘引物質の匂いは、有害節足動物を捕獲器に誘引するので、その後、例えば、有害節足動物に対して致死効果を示す殺虫剤を捕獲器内に予め設置しておくことによって、捕獲器内に誘引された有害節足動物を捕殺することができる。あるいは捕獲器内またはその近傍に、粘着板を設置することで、誘引、捕殺することも可能である。本発明の誘引物質と配合可能な有効殺虫活性成分の例を以下に記載する。
【００５０】
有効殺虫活性成分：
ｏ−エチル  ｏ−４−ニトロフェニル  フェニルホスホノチオアート（ＥＰＮ）、アセフェート（ａｃｅｐｈａｔｅ）、イソキサチオン（ｉｓｏｘａｔｈｉｏｎ）、イソフェンホス（ｉｓｏｆｅｎｐｈｏｓ）、イソプロカルブ（ｉｓｏｐｒｏｃａｒｂ）、エトリムホス（ｅｔｒｉｍｆｏｓ）、オキシデプロホス（ｏｘｙｄｅｐｒｏｆｏｓ）、キナルホス（ｑｕｉｎａｌｐｈｏｓ）、キャドサホス（ｃａｄｕｓａｆｏｓ）、クロルエトキシホス（ｃｈｌｏｒｅｔｈｏｘｙｆｏｓ）、クロルピリホス（ｃｈｌｏｒｐｙｒｉｆｏｓ）、クロルピリホス−メチル（ｃｈｌｏｒｐｙｒｉｆｏｓ−ｍｅｔｈｙｌ）、クロロフェンビンホス（ｃｈｌｏｒｏｆｅｎｖｉｎｐｈｏｓ）、サリチオン（ｓａｌｉｔｈｉｏｎ）、シアノホス（ｃｙａｎｏｐｈｏｓ）、ジスルホトン（ｄｉｓｕｌｆｏｔｏｎ）、ジメトエート（ｄｉｍｅｔｈｏａｔｅ）、スルプロホス（ｓｕｌｐｒｏｆｏｓ）、ダイアジノン（ｄｉａｚｉｎｏｎ）、チオメトン（ｔｈｉｏｍｅｔｏｎ）、テトラクロルビンホス（ｔｅｔｒａｃｈｌｏｒｖｉｎｐｈｏｓ）、テブピリムホス（ｔｅｂｕｐｉｒｉｍｆｏｓ）、トリクロルホン（ｔｒｉｃｈｌｏｒｐｈｏｎ）、ネイルド（ｎａｌｅｄ）、バミドチオン（ｖａｍｄｏｔｈｉｏｎ）、ピラクロホス（ｐｙｒａｃｌｏｐｈｏｓ）、ピリダフェンチオン（ｐｙｒｉｄａｆｅｎｔｈｉｏｎ）、ピリミホス−メチル（ｐｉｒｉｍｉｐｈｏｓ−ｍｅｔｈｙｌ）、フェニトロチオン（ｆｅｎｉｔｒｏｔｈｉｏｎ）、フェンチオン（ｆｅｎｔｈｉｏｎ）、フェントエート（ｐｈｅｎｔｈｏａｔｅ）、ブタチオホス（ｂｕｔａｔｈｉｏｆｏｓ）、プロチオホス（ｐｒｏｔｈｉｏｆｏｓ）、プロパホス（ｐｒｏｐａｐｈｏｓ）、プロフェノホス（ｐｒｏｆｅｎｏｆｏｓ）、ベンクロチアズ（ｂｅｎｃｌｏｔｈｉａｚ）、ホサロン（ｐｈｏｓａｌｏｎｅ）、ホスチアゼート（ｆｏｓｔｈｉａｚａｔｅ）、マラチオン（ｍａｌａｔｈｉｏｎ）、メチダチオン（ｍｅｔｈｉｄａｔｈｉｏｎ）、メトルカルブ（ｍｅｔｏｌｃａｒｂ）、モノクロトホス（ｍｏｎｏｃｒｏｔｏｐｈｏｓ）、フェノブカルブ（ＢＰＭＣ）、３，５−キシリルＮ−メチルカーバメート（ＸＭＣ）、アラニカルブ（ａｌａｎｙｃａｒｂ）、エチオフェンカルブ（ｅｔｈｉｏｆｅｎｃａｒｂ）、カルバリル（ｃａｒｂａｒｙｌ）、カルボスルファン（ｃａｒｂｏｓｕｌｆａｎ）、カルボフラン（ｃａｒｂｏｆｕｒａｎ）、キシリルカルブ（ｘｙｌｙｌｃａｒｂ）、クロエトカルブ（ｃｌｏｅｔｈｏｃａｒｂ）、チオジカルブ（ｔｈｉｏｄｉｃａｒｂ）、トリアゼメイト（ｔｒｉａｚａｍａｔｅ）、ピリミカーブ（ｐｉｒｉｍｉｃａｒｂ）、フェノキシカーブ（ｆｅｎｏｘｙｃａｒｂ）、フェノチオカルブ（ｆｅｎｏｔｈｉｏｃａｒｂ）、フラチオカルブ（ｆｕｒａｔｈｉｏｃａｒｂ）、プロポクスル（ｐｒｏｐｏｘｕｒ）、ベンダイオカルブ（ｂｅｎｄｉｏｃａｒｂ）、ベンフラカルブ（ｂｅｎｆｕｒａｃａｒｂ）、メソミル（ｍｅｔｈｏｍｙｌ）、アクリナトリン（ａｃｒｉｎａｔｈｒｉｎ）、イミプロトリン（ｉｍｉｐｒｏｔｈｒｉｎ）、エトフェンプロックス（ｅｔｈｏｆｅｎｐｒｏｘ）、シクロプロトリン（ｃｙｃｌｏｐｒｏｔｈｒｉｎ）、シグマ−サイパーメスリン（ｓｉｇｍａ−ｃｙｐｅ��ｍｅｔｈｒｉｎ）、シハロトリン（ｃｙｈａｌｏｔｈｒｉｎ）、シフルトリン（ｃｙｆｌｕｔｈｒｉｎ）、シペルメトリン（ｃｙｐｅｒｍｅｔｈｒｉｎ）、シラフルオフェン（ｓｉｌａｆｌｕｏｆｅｎ）、テフルトリン（ｔｅｆｌｕｔｈｒｉｎ）、デルタメトリン（ｄｅｌｔａｍｅｔｈｒｉｎ）、トラロメトリン（ｔｒａｌｏｍｅｔｈｒｉｎ）、フェンバレレート（ｆｅｎｖａｌｅｒａｔｅ）、フェンプロパトリン（ｆｅｎｐｒｏｐａｔｈｒｉｎ）、フルシスリネート（ｆｌｕｃｙｔｈｒｉｎａｔｅ）、フルバリネート（ｆｌｕｖａｌｉｎａｔｅ）、フルフェンプロックス（ｆｌｕｆｅｎｏｐｒｏｘ）、フルプロキシフェン（ｆｌｕｐｒｏｘｙｆｅｎ）、プロフルトリン（ｐｒｏｆｌｕｔｈｒｎ）、ベータ−シフルトリン（ｂｅｔａ−ｃｙｆｌｕｔｈｒｉｎ）、ベンフルスリン（ｂｅｎｆｌｕｔｈｒｉｎ）、ペルメトリン（ｐｅｒｍｅｔｈｒｉｎ）、カルタップ（ｃａｒｔａｐ）、チオシクラム（ｔｈｉｏｃｙｃｌａｍ）、ベンスルタップ（ｂｅｎｓｕｌｔａｐ）、アベルメクチン（ａｖｅｒｍｅｃｔｉｎ）、エマメクチンベンゾエート（ｅｍａｍｅｃｔｉｎ−ｂｅｎｚｏａｔｅ）、クロルフルアズロン（ｃｈｌｏｒｆｌｕａｚｕｒｏｎ）、シロマジン（ｃｙｒｏｍａｚｉｎｅ）、ジアフェンチウロン（ｄｉａｆｅｎｔｈｉｕｒｏｎ）、ジクロルボス（ｄｉｃｈｌｏｒｖｏｓ）、ジフルベンズロン（ｄｉｆｌｕｂｅｎｚｕｒｏｎ）、スピノシン（ｓｐｙｎｏｓｙｎ）、スピロメシフェン（ｓｐｉｒｏｍｅｓｉｆｅｎ）、テフルベンズロン（ｔｅｆｌｕｂｅｎｚｕｒｏｎ）、テブフェノジド（ｔｅｂｕｆｅｎｏｚｉｄｅ）、ハイドロプレン（ｈｙｄｒｏｐｒｅｎｅ）、バニリプロール（ｖａｎｉｌｉｐｒｏｌｅ）、ピメトロジン（ｐｙｍｅｔｒｏｚｉｎｅ）、ピリプロキシフェン（ｐｙｒｉｐｒｏｘｙｆｅｎ）、フィプロニル（ｆｉｐｒｏｎｉｌ）、フルフェノクスロン（ｆｌｕｆｅｎｏｘｕｒｏｎ）、ブプロフェジン（ｂｕｐｒｏｆｅｚｉｎ）、ヘキサフルムロン（ｈｅｘａｆｌｕｍｕｒｏｎ）、ミルベマイシン（ｍｉｌｂｅｍｙｃｉｎ）、ルフェヌロン（ｌｕｆｅｎｕｒｏｎ）、クロルフェナピル  （ｃｈｌｏｒｐｈｅｎａｐｙｒ）、ピリダリル（ｐｙｒｉｄａｌｙｌ）、フルフェンジアミド（ｆｌｕｆｅｎｄｉａｍｉｄｅ）、ＳＩ−０００９、メトフルトリン（ｍｅｔｏｆｌｕｔｈｒｉｎ）、ノビフルムロン（ｎｏｖｉｆｌｕｍｕｒｏｎ）、ジメフルトリン（ｄｉｍｅｆｌｕｔｈｒｉｎ）、シフルメトフェン（ｃｙｆｌｕｍｅｔｏｆｅｎ）、ピラフルプロール（ｐｙｒａｆｌｕｐｒｏｌｅ）、ピリプロール（ｐｙｒｉｐｒｏｌｅ）
【００５１】
また、本発明においては例えば、他の殺虫活性成分、共力剤（例、ピペロニル  ブトキシド（ｐｉｐｅｒｏｎｙｌ  ｂｕｔｏｘｉｄｅ）、セサメックス  スルホキシド（ｓｅｓａｍｅｘ  ｓｕｌｆｏｘｉｄｅ）、ＭＧＫ  ２６４、Ｎ−デシルイミダゾール（Ｎ−ｄｅｃｌｙｉｍｉｄａｚｏｌｅ）、ＷＡＲＦ−アンチレジスタント（ＷＡＲＦ−ａｎｔｉｒｅｓｉｓｔａｎｔ）、ＴＢＰＴ、ＴＰＰ、ＩＢＰ、ＰＳＣＰ、ＣＨ３Ｉ、ｔ−フェニルブテノン（ｔ−ｐｈｅｎｙｌｂｕｔｅｎｏｎｅ）、マレイン酸ジエチル（ｄｉｅｔｈｙｌｍａｌｅａｔｅ）、ＤＭＣ、ＦＤＭＣ、ＥＴＰ、ＥＴＮ）、と誘引物質を配合し、適宜使用することも可能である。
【００５２】
誘引物質の製剤化の際に用いられる固体担体としては、例えば、カオリンクレー、アッタパルジャイトクレー、ベントナイト、モンモリロナイト、酸性白土、パイロフィライト、タルク、珪藻土及び方解石等の鉱物、トウモロコシ穂軸粉、クルミ殻粉等の天然有機物、尿素等の合成有機物、炭酸カルシウム、硫酸アンモニウム等の塩類、合成含水酸化珪素等の合成無機物等からなる微粉末あるいは粒状物等が挙げられ、液体担体としては、例えばキシレン、アルキルベンゼン、メチルナフタレン等の芳香族炭化水素類、２−プロパノール、エチレングリコール、プロピレングリコール、エチレングリコールモノエチルエーテル等のアルコール類、アセトン、シクロヘキサノン、イソホロン等のケトン類、ダイズ油、綿実油等の植物油、石油系脂肪族炭化水素類、エステル類、ジメチルスルホキシド、アセトニトリル並びに水が挙げられる。
界面活性剤としては、例えば、アルキル硫酸エステル塩、アルキルアリールスルホン酸塩、ジアルキルスルホコハク酸塩、ポリオキシエチレンアルキルアリールエーテルリン酸エステル塩、リグニンスルホン酸塩及びナフタレンスルホネートホルムアルデヒド重縮合物等の陰イオン界面活性剤、ポリオキシエチレンアルキルアリールエーテル、ポリオキシエチレンアルキルポリオキシプロピレンブロックコポリマー及びソルビタン脂肪酸エステル等の非イオン界面活性剤、並びにアルキルトリメチルアンモニウム塩等の陽イオン界面活性剤が挙げられる。
その他の製剤用補助剤としては、例えば、ポリビニルアルコール、ポリビニルピロリドン等の水溶性高分子、アラビアゴム、アルギン酸及びその塩、ＣＭＣ（カルボキシメチルセルロ−ス）及びザンサンガム等の多糖類、アルミニウムマグネシウムシリケート、アルミナゾル等の無機物、防腐剤、着色剤並びにＰＡＰ（酸性リン酸イソプロピル）、ＢＨＴ等の安定化剤が挙げられる。
【００５３】
本発明は有害節足動物を誘引し捕獲することで、下記の植物に対して摂食、吸汁等の加害を行う有害節足動物（例えば、有害昆虫および有害ダニなどの有害節足動物）による加害から植物を保護することができる。
【００５４】
本発明の誘引物質と天敵を併用した予察方法および防除方法は、畑、水田、芝生、果樹園などの農耕地または非農耕地用にて使用することが可能である。また、本発明は、以下に挙げられる「植物」などを栽培する農耕地等において、該当植物等に対して薬害を与えることなく、当該農耕地の有害節足動物を防除するために使用することができる。
【００５５】
農作物：トウモロコシ（Ｚｅａ  ｍａｙｓ）、イネ（Ｏｒｙｚａ  ｓａｔｉｖａ）、コムギ（Ｔｒｉｔｉｃｕｍ  ａｅｓｔｉｖｕｍ）、オオムギ（Ｈｏｒｄｅｕｍ  ｖｕｌｇａｒｅ）、ライムギ（Ｓｅｃａｌｅ  ｃｅｒｅａｌｅ）、エンバク（Ａｖｅｎａ  ｓａｔｉｖａ）、ソルガム（Ｓｏｒｇｈｕｍ  ｂｉｃｏｌｏｒ  （Ｌ．）  Ｍｏｅｎｃｈ）、ワタ（Ｇｏｓｓｙｐｉｕｍ  ａｒｂｏｒｅｕｍ）、ダイズ（Ｇｌｙｃｉｎｅ  ｍａｘ）、ピーナッツ（Ａｒａｃｈｉｓ  ｈｙｐｏｇａｅａ）、ソバ（Ｆａｇｏｐｙｒｕｍ  ｅｓｃｕｌｅｎｔｕｍ）、テンサイ（Ｂｅｔａ  ｖｕｌｇａｒｉｓ  ｓｓｐ．  ｖｕｌｇａｒｉｓ）、ナタネ（Ｂｒａｓｓｉｃａ  ｒａｐａ  ｖａｒ．ａｍｐｌｅｘｉｃａｕｌｉｓ）、ヒマワリ（Ｈｅｌｉａｎｔｈｕｓ  ａｎｎｕｕｓ）、サトウキビ（Ｓａｃｃｈａｒｕｍ  ｏｆｆｉｃｉｎａｒｕｍ）、タバコ（Ｎｉｃｏｔｉａｎａ  ｔａｂａｃｕｍ）等。
野菜；ナス科野菜（ナス（Ｓｏｌａｎｕｍ  ｍｅｌｏｎｇｅｎａ）、トマト（Ｓｏｌａｎｕｍ  ｌｙｃｏｐｅｒｓｉｃｕｍ）、ピーマン（Ｃａｐｓｉｃｕｍ  ａｎｎｕｕｍ  ｖａｒ．  ａｎｇｕｌｏｓｕｍ）、トウガラシ（Ｃａｐｓｉｃｕｍ  ａｎｎｕｕｍ）、ジャガイモ（Ｓｏｌａｎｕｍ  ｔｕｂｅｒｏｓｕｍ）等）、ウリ科野菜（キュウリ（Ｃｕｃｕｍｉｓ  ｓａｔｉｖｕｓ）、カボチャ（Ｃｕｃｕｒｂｉｔａ  ｍａｘｉｍａ）、ズッキーニ（Ｃｕｃｕｒｂｉｔａ  ｐｅｐｏ）、スイカ（Ｃｉｔｒｕｌｌｕｓ  ｌａｎａｔｕｓ）、メロン（Ｃｕｃｕｍｉｓ  ｍｅｌｏ）等）、アブラナ科野菜（ダイコン（Ｒａｐｈａｎｕｓ  ｓａｔｉｖｕｓ  ｖａｒ．  ｌｏｎｇｉｐｉｎｎａｔｕｓ）、カブ（Ｂｒａｓｓｉｃａ  ｒａｐａ  Ｌ．  ｖａｒ．  ｇｌａｂｒａ）、セイヨウワサビ（Ａｒｍｏｒａｃｉａ  ｒｕｓｔｉｃａｎａ）、コールラビ（Ｂｒａｓｓｉｃａ  ｏｌｅｒａｃｅａ  ｖａｒ．  ｇｏｎｇｙｌｏｄｅｓ）、ハクサイ（Ｂｒａｓｓｉｃａ  ｒａｐａ  ｖａｒ．  ｐｅｋｉｎｅｎｓｉｓ）、キャベツ（Ｂｒａｓｓｉｃａ  Ｏｌｅｒａｃｅａ）、カラシナ（Ｂｒａｓｓｉｃａ  ｊｕｎｃｅａ）、ブロッコリー（Ｂｒａｓｓｉｃａ  ｏｌｅｒａｃｅａ  ｖａｒ．  ｉｔａｌｉｃａ）、カリフラワー（Ｂｒａｓｓｉｃａ  ｏｌｅｒａｃｅａ  ｖａｒ．  ｂｏｔｒｙｔｉｓ）、アブラナ（Ｂｒａｓｓｉｃａ  ｎａｐｕｓ）等）、キク科野菜（ゴボウ（Ａｒｃｔｉｕｍ  ｌａｐｐａ）、シュンギク（Ｇｌｅｂｉｏｎｉｓ  ｃｏｒｏｎａｒｉａ）、アーティチョーク（Ｃｙｎａｒａ  ｓｃｏｌｙｍｕｓ）、レタス（Ｌａｃｔｕｃａ  ｓａｔｉｖａ）等）、ユリ科野菜（ネギ（Ａｌｌｉｕｍ  ｆｉｓｔｕｌｏｓｕｍ）、タマネギ（Ａｌｌｉｕｍ  ｃｅｐａ）、ニンニク（Ａｌｌｉｕｍ  ｓａｔｉｖｕｍ）、アスパラガス（Ａｓｐａｒａｇｕｓ  ｏｆｆｉｃｉｎａｌｉｓ）等）、セリ科野菜（ニンジン（Ｄａｕｃｕｓ  ｃａｒｏｔａ）、パセリ（Ｐｅｔｒｏｓｅｌｉｎｕｍ  ｎｅａｐｏｌｉｔａｎｕｍ）、セロリ（Ａｐｉｕｍ  ｇｒａｖｅｏｌｅｎｓ  ｖａｒ．  ｄｕｌｃｅ）、アメリカボウフウ（Ｐａｓｔｉｎａｃａ  ｓａｔｉｖａ）等）、アカザ科野菜（ホウレンソウ（Ｓｐｉｎａｃｉａ  ｏｌｅｒａｃｅａ）、フダンソウ（Ｂｅｔａ  ｖｕｌｇａｒｉｓ  ｖａｒ．  ｃｉｃｌａ）等）、シソ科野菜（シソ（Ｐｅｒｉｌｌａ  ｆｒｕｔｅｓｃｅｎｓ  ｖａｒ．  ｃｒｉｓｐａ）、ミント（Ｍｅｎｔｈａ  ｐｉｐｅｒｉｔａ）、バジル（Ｏｃｉｍｕｍ  ｂａｓｉｌｉｃｕｍ）等）、イチゴ（Ｆｒａｇａｒｉａ  ａｎａｎａｓｓａ  Ｄｕｃｈｅｓｎｅ）、サツマイモ（Ｉｐｏｍｏｅａ  ｂａｔａｔａｓ）、ヤマノイモ（Ｄｉｏｓｃｏｒｅａ  ｊａｐｏｎｉｃａ）、サトイモ（Ｃｏｌｏｃａｓｉａ  ｅｓｃｕｌｅｎｔａ）等。
果樹：仁果類（リンゴ（Ｍａｌｕｓ  ｐｕｍｉｌａ）、セイヨウナシ（Ｐｙｒｕｓ  ｃｏｍｍｕｎｉｓ）、ニホンナシ（Ｐｙｒｕｓ  ｐｙｒｉｆｏｌｉａ  ｖａｒ．  ｃｕｌｔａ）、カリン（Ｃｈａｅｎｏｍｅｌｅｓ  ｓｉｎｅｎｓｉｓ）、マルメロ（Ｃｙｄｏｎｉａ  ｏｂｌｏｎｇａ）等）、核果類（モモ（Ａｍｙｇｄａｌｕｓ  ｐｅｒｓｉｃａ）、スモモ（Ｐｒｕｎｕｓ  ｓａｌｉｃｉｎａ）、ネクタリン（Ａｍｙｇｄａｌｕｓ  ｐｅｒｓｉｃａ  ｖａｒ．  ｎｅｃｔａｒｉｎａ）、ウメ（Ｐｒｕｎｕｓ  ｍｕｍｅ）、オウトウ（Ｃｅｒａｓｕｓ  ａｖｉｕｍ）、アンズ（Ｐｒｕｎｕｓ  ａｒｍｅｎｉａｃａ）、プルーン（Ｐｒｕｎｕｓ  ａｒｍｅｎｉａｃａ）等）、カンキツ類（ウンシュウミカン（Ｃｉｔｒｕｓ  ｕｎｓｈｉｕ）、オレンジ（Ｃｉｔｒｕｓ  ｓｉｎｅｎｓｉｓ）、レモン（Ｃｉｔｒｕｓ  ｌｉｍｏｎ）、ライム（Ｃｉｔｒｕｓ  ａｕｒａｎｔｉｆｏｌｉａ）、グレープフルーツ（Ｃｉｔｒｕｓ  ｐａｒａｄｉｓｉ）等）、堅果類（クリ（Ｃａｓｔａｎｅａ  ｃｒｅｎａｔａ）、クルミ（Ｊｕｇｌａｎｓ  ｍａｎｄｓｈｕｒｉｃａ  ｖａｒ．  ｓｉｅｂｏｌｄｉａｎａ）、ハシバミ（Ｃｏｒｙｌｕｓ  ａｖｅｌｌａｎａ）、アーモンド（Ｐｒｕｎｕｓ  ｄｕｌｃｉｓ）、ピスタチオ（Ｐｉｓｔａｃｉａ  ｖｅｒａ）、カシューナッツ（Ａｎａｃａｒｄｉｕｍ  ｏｃｃｉｄｅｎｔａｌｅ）、マカダミアナッツ（Ｍａｃａｄａｍｉａ  ｉｎｔｅｇｒｉｆｏｌｉａ）等）、液果類（ブルーベリー（Ｖａｃｃｉｎｉｕｍ  ｃｏｒｙｍｂｏｓｕｍ）、クランベリー（Ｖａｃｃｉｎｉｕｍ  ｍａｃｒｏｃａｒｐｏｎ）、ブラックベリー（Ｒｕｂｕｓ  ｆｒｕｔｉｃｏｓｕｓ）、ラズベリー（Ｒｕｂｕｓ  ｉｄａｅｕｓ）等）、ブドウ（Ｖｉｔｉｓ  ｌａｂｒｕｓｃａ）、カキ（Ｄｉｏｓｐｙｒｏｓ  ｋａｋｉ  Ｔｈｕｎｂｅｒｇ）、オリーブ（Ｏｌｅａ  ｅｕｒｏｐａｅａ）、ビワ（Ｅｒｉｏｂｏｔｒｙａ  ｊａｐｏｎｉｃａ）、バナナ（Ｅｎｓｅｔｅ  ｖｅｎｔｒｉｃｏｓｕｍ）、コーヒー（Ｃｏｆｆｅａ  ａｒａｂｉｃａ）、ナツメヤシ（Ｐｈｏｅｎｉｘ  ｄａｃｔｙｌｉｆｅｒａ）、ココヤシ（Ｃｏｃｏｓ  ｎｕｃｉｆｅｒａ）、アブラヤシ（Ｅｌａｅｉｓ  ｏｌｅｉｆｅｒａ）等。
果樹以外の樹木：チャ（Ｃａｍｅｌｌｉａ  ｓｉｎｅｎｓｉｓ）、クワ（Ｍｏｒｕｓ  ａｌｂａ）、花木類（サツキ（Ｒｈｏｄｏｄｅｎｄｒｏｎ  ｉｎｄｉｃｕｍ）、ツバキ（Ｃａｍｅｌｌｉａ  ｊａｐｏｎｉｃａ）、アジサイ（Ｈｙｄｒａｎｇｅａ  ｍａｃｒｏｐｈｙｌｌａ）、サザンカ（Ｃａｍｅｌｌｉａ  ｓａｓａｎｑｕａ）、シキミ（Ｉｌｌｉｃｉｕｍ  ａｎｉｓａｔｕｍ）、サクラ（Ｃｅｒａｓｕｓ  ｘｙｅｄｏｅｎｓｉｓ）、ユリノキ（Ｌｉｒｉｏｄｅｎｄｒｏｎ  ｔｕｌｉｐｉｆｅｒａ）、サルスベリ（Ｌａｇｅｒｓｔｒｏｅｍｉａ  ｉｎｄｉｃａ）、キンモクセイ（Ｏｓｍａｎｔｈｕｓ  ｆｒａｇｒａｎｓ  ｖａｒ．  ａｕｒａｎｔｉａｃｕｓ）等）、街路樹（トネリコ（Ｆｒａｘｉｎｕｓ  ｊａｐｏｎｉｃａ）、カバノキ（Ｂｅｔｕｌａ  ｐｌａｔｙｐｈｙｌｌａ  ｖａｒ．ｊａｐｏｎｉｃａ）、ハナミズキ（Ｂｅｎｔｈａｍｉｄｉａ  ｆｌｏｒｉｄａ）、ユーカリ（Ｅｕｃａｌｙｐｔｕｓ  ｇｌｏｂｕｌｕｓ）、イチョウ（Ｇｉｎｋｇｏ  ｂｉｌｏｂａ）、ライラック（Ｓｙｒｉｎｇａ  ｖｕｌｇａｒｉｓ）、カエデ（Ａｃｅｒ  ｐａｌｍａｔｕｍ）、カシ（Ｑｕｅｒｃｕｓ  ｍｙｒｓｉｎａｅｆｏｌｉａ）、ポプラ（Ｐｏｐｕｌｕｓ  ａｎｇｕｌａｔａ）、ハナズオウ（Ｃｅｒｃｉｓ  ｃｈｉｎｅｎｓｉｓ）、フウ（Ｌｉｑｕｉｄａｍｂａｒ  ｆｏｒｍｏｓａｎａ）、プラタナス（Ｐｌａｔａｎｕｓ  ｏｒｉｅｎｔａｌｉｓ）、ケヤキ（Ｚｅｌｋｏｖａ  ｓｅｒｒａｔａ）、クロベ（Ｔｈｕｊａ  ｓｔａｎｄｉｓｈｉｉ）、モミノキ（Ａｂｉｅｓ  ｆｉｒｍａ）、ツガ（Ｔｓｕｇａ  ｓｉｅｂｏｌｄｉｉ）、ネズ（Ｊｕｎｉｐｅｒｕｓ  ｒｉｇｉｄａ）、マツ（Ｐｉｎｕｓ  ｄｅｎｓｉｆｌｏｒａ）、トウヒ（Ｐｉｃｅａ  ｊｅｚｏｅｎｓｉｓ  ｖａｒ．  ｈｏｎｄｏｅｎｓｉｓ）、イチイ（Ｔａｘｕｓ  ｃｕｓｐｉｄａｔａ）、ニレ（Ｕｌｍｕｓ  ｄａｖｉｄｉａｎａ  ｖａｒ．  ｊａｐｏｎｉｃａ）、トチノキ（Ａｅｓｃｕｌｕｓ  ｔｕｒｂｉｎａｔａ）等）、サンゴジュ（Ｖｉｂｕｒｎｕｍ  ｏｄｏｒａｔｉｓｓｉｍｕｍ  ｖａｒ．  ａｗａｂｕｋｉ）、イヌマキ（Ｐｏｄｏｃａｒｐｕｓ  ｍａｃｒｏｐｈｙｌｌｕｓ）、スギ（Ｃｒｙｐｔｏｍｅｒｉａ  ｊａｐｏｎｉｃａ、ヒノキＣｈａｍａｅｃｙｐａｒｉｓ  ｏｂｔｕｓａ ｓｐｐ．）、クロトン（Ｃｏｄｉａｅｕｍ  ｖａｒｉｅｇａｔｕｍ）、マサキ（Ｅｕｏｎｙｍｕｓ  ｊａｐｏｎｉｃｕｓ）、カナメモチ（Ｐｈｏｔｉｎｉａ  ｇｌａｂｒａ）等。
芝生：シバ類（ノシバ（Ｚｏｙｓｉａ  ｊａｐｏｎｉｃａ）、コウライシバ（Ｚｏｙｓｉａ  ｍａｔｒｅｌｌａ）等）、バミューダグラス類（ギョウギシバ（Ｃｙｎｏｄｏｎ  ｄａｃｔｙｌｏｎ）等）、ベントグラス類（コヌカグサ（Ａｇｒｏｓｔｉｓ  ｇｉｇａｎｔｅａ）、ハイコヌカグサ（Ａｇｒｏｓｔｉｓ  ｓｔｏｌｏｎｉｆｅｒａ）、イトコヌカグサ（Ａｇｒｏｓｔｉｓ  ｃａｐｉｌｌａｒｉｓ）等）、ブルーグラス類（ナガハグサ（Ｐｏａ  ｐｒａｔｅｎｓｉｓ）、オオスズメノカタビラ（Ｐｏａ  ｔｒｉｖｉａｌｉs）等）、フェスク類（オニウシノケグサ（Ｆｅｓｔｕｃａ  ａｒｕｎｄｉｎａｃｅａ）、イトウシノケグサ（Ｆｅｓｔｕｃａ  ｒｕｂｒａ  Ｌ．  ｖａｒ．  ｇｅｎｕｉｎａ）、ハイウシノケグサ（Ｆｅｓｔｕｃａ  ｒｕｂｒａ  Ｌ．  ｖａｒ．  ｃｏｍｍｕｔａｔａ）等）、ライグラス類（ネズミムギ（Ｌｏｌｉｕｍ  ｍｕｌｔｉｆｌｏｒｕｍ）、ホソムギ（Ｌｏｌｉｕｍ  ｐｅｒｅｎｎｅ）等）、カモガヤ（Ｄａｃｔｙｌｉｓ  ｇｌｏｍｅｒａｔａ）、オオアワガエリ（Ｐｈｌｅｕｍ  ｐｒａｔｅｎｓｅ）等。
その他：花卉類（バラ（Ｒｏｓａ  ｓｐｐ．）、カーネーション（Ｄｉａｎｔｈｕｓ  ｃａｒｙｏｐｈｙｌｌｕｓ）、キク（Ｃｈｒｙｓａｎｔｈｅｍｕｍ  ｍｏｒｉｆｏｌｉｕｍ  Ｃｈｒｙｓａｎｔｈｅｍｕｍ）、トルコギキョウ（Ｅｕｓｔｏｍａ  ｒｕｓｓｅｌｌｉａｎｕｍ）、カスミソウ（Ｇｙｐｓｏｐｈｉｌａ  ｓｐｐ．）、ガーベラ（Ｇｅｒｂｅｒａ  Ｈｙｂｒｉｄｓ）、マリーゴールド（Ｔａｇｅｔｅｓ  ｓｐｐ．）、サルビア（Ｓａｌｖｉａ  ｓｐｐ．）、ペチュニア（Ｐｅｔｕｎｉａ  ｘｈｙｂｒｉｄａ）、バーベナ（Ｖｅｒｂｅｎａ  ｓｐｐ．）、チューリップ（Ｔｕｌｉｐａ  ｇｅｓｎｅｒｉａｎａ）、アスター（Ｃａｌｌｉｓｔｅｐｈｕｓ  ｃｈｉｎｅｎｓｉｓ）、リンドウ（Ｇｅｎｔｉａｎａ  ｓｃａｂｒａ  ｖａｒ．  ｂｕｅｒｇｅｒｉ）、ユリ（Ｌｉｌｉｕｍ  ｓｐｐ．）、パンジー（Ｖｉｏｌａ  Ｘ  ｗｉｔｔｒｏｃｋｉａｎａ）、シクラメン（Ｃｙｃｌａｍｅｎ  ｓｐｐ．）、ラン（Ｏｒｃｈｉｄａｃｅａｅ  ｓｐｐ．）、スズラン（Ｃｏｎｖａｌｌａｒｉａ  ｍａｊａｌｉｓ）、ラベンダー（ｌａｖｅｎｄｅｒ  ｌａｖａｎｄｕｌａ）、ストック（Ｍａｔｔｈｉｏｌａ  ｉｎｃａｎａ）、ハボタン（Ｂｒａｓｓｉｃａ  ｏｌｅｒａｃｅａ  ｖａｒ．  ａｃｅｐｈａｌａ  ｆ．  ｔｒｉｃｏｌｏｒ）、プリムラ（Ｐｒｉｍｕｌａ  ｓｐｐ．ａｌｔ）、ポインセチア（Ｅｕｐｈｏｒｂｉａ  ｐｕｌｃｈｅｒｒｉｍａ）、グラジオラス（Ｇｌａｄｉｏｌｕｓ  ｓｐｐ．）、カトレア（Ｃａｔｔｌｅｙａ  ｓｐｐ．）、デージー（Ｂｅｌｌｉｓ  ｐｅｒｅｎｎｉｓ）、シンビジューム（Ｃｙｍｂｉｄｉｕｍ  ｓｐｐ．）、ベゴニア（Ｂｅｇｏｎｉａ  ｐａｒｔｉｔａ）等）、バイオ燃料植物（ヤトロファ（Ｊａｔｒｏｐｈａ  ｃｕｒｃａｓ）、ベニバナ（Ｃａｒｔｈａｍｕｓ  ｔｉｎｃｔｏｒｉｕｓ）、アマナズナ類（Ｃａｍｅｌｉｎａ  ｓａｔｉｖａ）、スイッチグラス（Ｐａｎｉｃｕｍ  ｖｉｒｇａｔｕｍ）、ミスカンサス（Ｍｉｓｃａｎｔｈｕｓ  ｓｉｎｅｎｓｉｓ）、クサヨシ（Ｐｈａｌａｒｉｓ  ａｒｕｎｄｉｎａｃｅａ））、ダンチク（Ａｒｕｎｄｏ  ｄｏｎａｘ）、ケナフ（Ｈｉｂｉｓｃｕｓ  ｃａｎｎａｂｉｎｕｓ）、キャッサバ（Ｍａｎｉｈｏｔ  ｅｓｃｕｌｅｎｔａ）、ヤナギ（Ｓａｌｉｃａｃｅａｅ  ｓｐｐ．）等）、観葉植物等。
【００５６】
前記植物の中でも、好ましい例として、ナス、トマト、ピーマン、トウガラシ、キュウリ、カボチャ、ズッキーニ、スイカ、メロン、ダイコン、カブ、ハクサイ、キャベツ、カラシナ、ブロッコリー、カリフラワー、アブラナ、ゴボウ、シュンギク、アーティチョーク、レタス、ネギ、タマネギ、ニンニク、アスパラガス、ニンジン、パセリ、セロリ、ホウレンソウ、シソ、ミント、バジル、イチゴ、サツマイモ、ヤマノイモ、サトイモを挙げることができる。
【００５７】
上記「植物」は、遺伝子組換え技術や交配による育種法により耐性を付与された植物であってもよい。
【００５８】
本発明による誘引物質と天敵の併用は、植物又は植物の栽培地に施用することにより、植物の有害節足動物を防除するために用いられる。ここで植物としては、例えば、植物の茎葉、植物の花、植物の実、植物の種子及び植物の球根が挙げられる。なお、ここで球根とは、鱗茎、球茎、根茎、塊茎、塊根及び担根体を意味する。
【００５９】
本発明に関わる有害節足動物誘引物質と天敵の併用が防除効力を示す有害節足動物としては、例えば、次のものが挙げられる。
外翅上目カメムシ目有害節足動物：ヒメトビウンカ（Ｌａｏｄｅｌｐｈａｘ  ｓｔｒｉａｔｅｌｌｕｓ）、トビイロウンカ（Ｎｉｌａｐａｒｖａｔａ  ｌｕｇｅｎｓ）、セジロウンカ（Ｓｏｇａｔｅｌｌａ  ｆｕｒｃｉｆｅｒａ）等のウンカ類、ツマグロヨコバイ（Ｎｅｐｈｏｔｅｔｔｉｘ  ｃｉｎｃｔｉｃｅｐｓ）、タイワンツマグロヨコバイ（Ｎｅｐｈｏｔｅｔｔｉｘ  ｖｉｒｅｓｃｅｎｓ）等のヨコバイ類、ワタアブラムシ（Ａｐｈｉｓ  ｇｏｓｓｙｐｉｉ）、モモアカアブラムシ（Ｍｙｚｕｓ  ｐｅｒｓｉｃａｅ）、ダイコンアブラムシ（Ｂｒｅｖｉｃｏｒｙｎｅ  ｂｒａｓｓｉｃａｅ）、チューリップヒゲナガアブラムシ（Ｍａｃｒｏｓｉｐｈｕｍ  ｅｕｐｈｏｒｂｉａｅ）、ジャガイモヒゲナガアブラムシ（Ａｕｌａｃｏｒｔｈｕｍ  ｓｏｌａｎｉ）、ムギクビレアブラムシ（Ｒｈｏｐａｌｏｓｉｐｈｕｍ  ｐａｄｉ）、ミカンクロアブラムシ（Ｔｏｘｏｐｔｅｒａ  ｃｉｔｒｉｃｉｄｕｓ）等のアブラムシ類、アオクサカメムシ（Ｎｅｚａｒａ  ａｎｔｅｎｎａｔａ）、ホソヘリカメムシ（Ｒｉｐｔｏｒｔｕｓ  ｃｌａｖｅｔｕｓ）、クモヘリカメムシ（Ｌｅｐｔｏｃｏｒｉｓａ  ｃｈｉｎｅｎｓｉｓ）、トゲシラホシカメムシ（Ｅｙｓａｒｃｏｒｉｓ  ｐａｒｖｕｓ）、クサギカメムシ（Ｈａｌｙｏｍｏｒｐｈａ  ｍｉｓｔａ）、ターニッシュッドプラントバグ（Ｌｙｕｓ  ｌｉｎｅｏｌａｒｉｓ）等のカメムシ類、オンシツコナジラミ（Ｔｒｉａｌｅｕｒｏｄｅｓ  ｖａｐｏｒａｒｉｏｒｕｍ）、タバココナジラミ（Ｂｅｍｉｓｉａ  ｔａｂａｃｉ）、  シルバーリーフコナジラミ（Ｂｅｍｉｓｉａ  ａｒｇｅｎｔｉｆｏｌｉｉ）等のコナジラミ類、アカマルカイガラムシ（Ａｏｎｉｄｉｅｌｌａ  ａｕｒａｎｔｉｉ）、サンホーゼカイガラムシ（Ｃｏｍｓｔｏｃｋａｓｐｉｓ  ｐｅｒｎｉｃｉｏｓａ）、シトラススノースケール（Ｕｎａｓｐｉｓ  ｃｉｔｒｉ）、ルビーロウムシ（Ｃｅｒｏｐｌａｓｔｅｓ  ｒｕｂｅｎｓ）、イセリヤカイガラムシ（Ｉｃｅｒｙａ  ｐｕｒｃｈａｓｉ）等のカイガラムシ類、グンバイムシ類、キジラミ類等；
外翅上目アザミウマ目有害節足動物：ミカンキイロアザミウマ（Ｆｒａｎｋｌｉｎｉｅｌｌａ  ｏｃｃｉｄｅｎｔａｉｓ）、ミナミキイロアザミウマ（Ｔｈｒｉｐｓ  ｐａｌｍｉ）、チャノキイロアザミウマ（Ｓｃｉｒｔｏｔｈｒｉｐｓ  ｄｏｒｓａｌｉｓ）、ネギアザミウマ（Ｔｈｒｉｐｓ  ｔａｂａｃｉ）、ヒラズハナアザミウマ（Ｆｒａｎｋｌｉｎｉｅｌｌａ  ｉｎｔｏｎｓａ）、タバコアザミウマの（Ｆｒａｎｋｌｉｎｉｅｌｌａ  ｆｕｓｃａ）等のアザミウマ類等；
内翅上目チョウ目有害節足動物：ニカメイガ（Ｃｈｉｌｏ  ｓｕｐｐｒｅｓｓａｌｉｓ）、サンカメイガ（Ｔｒｙｐｏｒｙｚａ  ｉｎｃｅｒｔｕｌａｓ）、コブノメイガ（Ｃｎａｐｈａｌｏｃｒｏｃｉｓ  ｍｅｄｉｎａｌｉｓ）、ワタノメイガ（Ｎｏｔａｒｃｈａ  ｄｅｒｏｇａｔａ）、ノシメマダラメイガ（Ｐｌｏｄｉａ  ｉｎｔｅｒｐｕｎｃｔｅｌｌａ）、アワノメイガ（Ｏｓｔｒｉｎｉａ  ｆｕｒｎａｃａｌｉｓ）、ヨーロピアンコーンボーラー（Ｏｓｔｒｉｎｉａ  ｎｕｂｉｌａｒｉｓ）、ハイマダラノメイガ（Ｈｅｌｌｕｌａ  ｕｎｄａｌｉｓ）、シバツトガ（Ｐｅｄｉａｓｉａ  ｔｅｔｅｒｒｅｌｌｕｓ）等のメイガ類、ハスモンヨトウ（Ｓｐｏｄｏｐｔｅｒａ  ｌｉｔｕｒａ）、シロイチモジヨトウ（Ｓｐｏｄｏｐｔｅｒａ  ｅｘｉｇｕａ）、アワヨトウ（Ｐｓｅｕｄａｌｅｔｉａ  ｓｅｐａｒａｔａ）、ヨトウガ（Ｍａｍｅｓｔｒａ  ｂｒａｓｓｉｃａｅ）、タマナヤガ（Ａｇｒｏｔｉｓ  ｉｐｓｉｌｏｎ）、タマナギンウワバ（Ｐｌｕｓｉａ  ｎｉｇｒｉｓｉｇｎａ）、トリコプルシア属、ヘリオティス属、ヘリコベルパ属等のヤガ類、モンシロチョウ（Ｐｉｅｒｉｓ  ｒａｐａｅ）等のシロチョウ類、アドキソフィエス属、ナシヒメシンクイ（Ｇｒａｐｈｏｌｉｔａ  ｍｏｌｅｓｔａ）、マメシンクイガ（Ｌｅｇｕｍｉｎｉｖｏｒａ  ｇｌｙｃｉｎｉｖｏｒｅｌｌａ）、アズキサヤムシガ（Ｍａｔｓｕｍｕｒａｅｓｅｓ  ａｚｕｋｉｖｏｒａ）、リンゴコカクモンハマキ（Ａｄｏｘｏｐｈｙｅｓ  ｏｒａｎａ  ｆａｓｃｉａｔａ）、チャノコカクモンハマキ（Ａｄｏｘｏｐｈｙｅｓ  ｓｐ.）、チャハマキ（Ｈｏｍｏｎａ  ｍａｇｎａｎｉｍａ）、ミダレカクモンハマキ（Ａｒｃｈｉｐｓ  ｆｕｓｃｏｃｕｐｒｅａｎｕｓ）、コドリンガ（Ｃｙｄｉａ  ｐｏｍｏｎｅｌｌａ）等のハマキガ類、チャノホソガ（Ｃａｌｏｐｔｉｌｉａ  ｔｈｅｉｖｏｒａ）、キンモンホソガ（Ｐｈｙｌｌｏｎｏｒｙｃｔｅｒ  ｒｉｎｇｏｎｅｅｌｌａ）のホソガ類、モモシンクイガ（Ｃａｒｐｏｓｉｎａ  ｎｉｐｏｎｅｎｓｉｓ）等のシンクイガ類、リオネティア属等のハモグリガ類、リマントリア属、ユープロクティス属等のドクガ類、コナガ（Ｐｌｕｔｅｌｌａ  ｘｙｌｏｓｔｅｌｌａ）等のスガ類、ワタアカミムシ（Ｐｅｃｔｉｎｏｐｈｏｒａ  ｇｏｓｓｙｐｉｅｌｌａ）ジャガイモガ（Ｐｈｔｈｏｒｉｍａｅａ  ｏｐｅｒｃｕｌｅｌｌａ）等のキバガ類、アメリカシロヒトリ（Ｈｙｐｈａｎｔｒｉａ  ｃｕｎｅａ）等のヒトリガ類、イガ（Ｔｉｎｅａ  ｔｒａｎｓｌｕｃｅｎｓ）等のヒロズコガ類等；
内翅上目ハエ目有害節足動物：タマネギバエ（Ｈｙｌｅｍｙａ  ａｎｔｉｑｕａ）、タネバエ（Ｈｙｌｅｍｙａ  ｐｌａｔｕｒａ）、イネハモグリバエ（Ａｇｒｏｍｙｚａ  ｏｒｙｚａｅ）、イネヒメハモグリバエ（Ｈｙｄｒｅｌｌｉａ  ｇｒｉｓｅｏｌａ）、イネキモグリバエ（Ｃｈｌｏｒｏｐｓ  ｏｒｙｚａｅ）、マメハモグリバエ（Ｌｉｒｉｏｍｙｚａ  ｔｒｉｆｏｌｉｉ）等のハモグリバエ類、ウリミバエ（Ｄａｃｕｓ  ｃｕｃｕｒｂｉｔａｅ）、チチュウカイミバエ（Ｃｅｒａｔｉｔｉｓ  ｃａｐｉｔａｔａ）等；
内翅上目コウチュウ目有害節足動物：ニジュウヤホシテントウ（Ｅｐｉｌａｃｈｎａ  ｖｉｇｉｎｔｉｏｃｔｏｐｕｎｃｔａｔａ）、ウリハムシ（Ａｕｌａｃｏｐｈｏｒａ  ｆｅｍｏｒａｌｉｓ）、キスジノミハムシ（Ｐｈｙｌｌｏｔｒｅｔａ  ｓｔｒｉｏｌａｔａ）、イネドロオイムシ（Ｏｕｌｅｍａ  ｏｒｙｚａｅ）、イネゾウムシ（Ｅｃｈｉｎｏｃｎｅｍｕｓ  ｓｑｕａｍｅｕｓ）、イネミズゾウムシ（Ｌｉｓｓｏｒｈｏｐｔｒｕｓ  ｏｒｙｚｏｐｈｉｌｕｓ）、ワタミゾウムシ（Ａｎｔｈｏｎｏｍｕｓ  ｇｒａｎｄｉｓ）、アズキゾウムシ（Ｃａｌｌｏｓｏｂｒｕｃｈｕｓ  ｃｈｉｎｅｎｓｉｓ）、シバオサゾウムシ（Ｓｐｈｅｎｏｐｈｏｒｕｓ  ｖｅｎａｔｕｓ）、マメコガネ（Ｐｏｐｉｌｌｉａ  ｊａｐｏｎｉｃａ）、ドウガネブイブイ（Ａｎｏｍａｌａ  ｃｕｐｒｅａ）、コーンルートワームの仲間（Ｄｉａｂｒｏｔｉｃａ  ｓｐｐ.）、コロラドハムシ（Ｌｅｐｔｉｎｏｔａｒｓａ  ｄｅｃｅｍｌｉｎｅａｔａ）、コメツキムシの仲間（Ａｇｒｉｏｔｅｓ  ｓｐｐ.）等；
内翅上目ハチ目有害節足動物：カブラハバチ（Ａｔｈａｌｉａ  ｒｏｓａｅ）、ハキリアリ（Ａｃｒｏｍｙｒｍｅｘ  ｓｐｐ．）、ファイヤーアント（Ｓｏｌｅｎｏｐｓｉｓ  ｓｐｐ.）等；
多新翅上目バッタ目有害節足動物：ケラ（Ｇｒｙｌｌｏｔａｌｐａ  ａｆｒｉｃａｎａ）、コバネイナゴ（Ｏｘｙａ  ｙｅｚｏｅｎｓｉｓ）、ハネナガイナゴ（Ｏｘｙａ  ｊａｐｏｎｉｃａ）等；
ダニ目有害節足動物：ナミハダニ（Ｔｅｔｒａｎｙｃｈｕｓ  ｕｒｔｉｃａｅ）、ミカンハダニ（Ｐａｎｏｎｙｃｈｕｓ  ｃｉｔｒｉ）、オリゴニカス属等のハダニ類、ミカンサビダニ（Ａｃｕｌｏｐｓ  ｐｅｌｅｋａｓｓｉ）等のフシダニ類、チャノホコリダニ（Ｐｏｌｙｐｈａｇｏｔａｒｓｏｎｅｍｕｓ  ｌａｔｕｓ）等のホコリダニ類、ヒメハダニ類、ケナガハダニ類、ケナガコナダニ（Ｔｙｒｏｐｈａｇｕｓ  ｐｕｔｒｅｓｃｅｎｔｉａｅ）等のコナダニ類、コナヒョウヒダニ（Ｄｅｒｍａｔｏｐｈａｇｏｉｄｅｓ  ｆａｒｉｎａｅ）、ヤケヒョウヒダニ（Ｄｅｒｍａｔｏｐｈａｇｏｉｄｅｓ  ｐｔｒｅｎｙｓｓｎｕｓ）等のヒョウヒダニ類、ホソツメダニ（Ｃｈｅｙｌｅｔｕｓ  ｅｒｕｄｉｔｕｓ）、クワガタツメダニ（Ｃｈｅｙｌｅｔｕｓ  ｍａｌａｃｃｅｎｓｉｓ）、ミナミツメダニ（Ｃｈｅｙｌｅｔｕｓ  ｍｏｏｒｅｉ）等のツメダニ類等；
線虫類：イネシンガレセンチュウ（Ａｐｈｅｌｅｎｃｈｏｉｄｅｓ  ｂｅｓｓｅｙｉ）、イチゴメセンチュウ（Ｎｏｔｈｏｔｙｌｅｎｃｈｕｓ  ａｃｒｉｓ）等。
【００６０】
本発明に関わる有害節足動物誘引物質および天敵が防除効力を示す有害節足動物としては、好ましくは外翅上目カメムシ目有害節足動物、外翅上目アザミウマ目有害節足動物、内翅上目ハエ目有害節足動物、ダニ目有害節足動物、より好ましくは外翅上目アザミウマ目有害節足動物が挙げられる。
【実施例】
【００６１】
以下、本発明をその効果等を示す試験例とともにさらに具体的に説明するが、これらに本発明の技術的範囲を限定することを意図するものではない。【００６２】
試験例１  誘引剤、または天敵を個別に処理した場合の誘引効果
ｐ−アニスアルデヒド、ベンズアルデヒド、ニコチン酸エチル、ゲラニオール、リナロール、ネロール、シトロネロール、ｏ−アニスアルデヒド、β−ファルネセン、アントラニル酸メチル、安息香酸メチル、ｏ−アミノアセトフェノン、ｏ−アニシジン、ｍ−アミノ安息香酸メチル、ｏ−トルイル酸メチル、オイゲノール、３−フェニルプロピルアルデヒド、シンナムアルデヒド、ユーカリプトール、スクアレン、α−ヘキシルシンナムアルデヒドから選択された各単剤１μｇの重量を含むヘキサン溶液を調整した。この溶液を濾紙に含浸させた後、プラスチック製のアイスクリームカップ内に設置された着色粘着板中央部に貼付した。その後、アイスクリームカップ内に２０頭のミカンキイロアザミウマ雌成虫を放飼すると共に、アザミウマの餌として、水を含んだ脱脂綿を敷いたインゲン葉片を設置した。２４時間後、着色粘着トラップに捕獲されたアザミウマ数を計測し、式１を用い誘引率を算出した。その結果を表１に示す。
一方、上記の誘引単剤処理とは別に、アイスクリームカップ内に着色粘着板を設置した。そのアイスクリームカップ内に２頭のスワルスキーカブリダニ成虫を放飼した。その後、アイスクリームカップ内に２０頭のミカンキイロアザミウマ雌成虫を放飼すると共に、アザミウマの餌として、水を含んだ脱脂綿を敷いたインゲン葉片を設置した。２４時間後、着色粘着トラップに捕獲されたアザミウマ数を計測し、式１を用い誘引率を算出した。その結果を表１に示す。
「式１」；誘引率＝（処理区の捕獲数−無処理区の捕獲数）＊１００／（１カップあたりの総放飼虫数）
【表１】
2016009981.tif 000002
【００６３】
試験例２  誘引剤と天敵の相乗効果
ｐ−アニスアルデヒド、ベンズアルデヒド、ニコチン酸エチル、ゲラニオール、リナロール、ネロール、シトロネロール、ｏ−アニスアルデヒド、β−ファルネセン、アントラニル酸メチル、安息香酸メチル、ｏ−アミノアセトフェノン、ｏ−アニシジン、ｍ−アミノ安息香酸メチル、ｏ−トルイル酸メチル、オイゲノール、３−フェニルプロピルアルデヒド、シンナムアルデヒド、ユーカリプトール、スクアレン、α−ヘキシルシンナムアルデヒドから選択された各単剤１μｇの重量を含むヘキサン溶液を調整した。この溶液を濾紙に含浸させた後、プラスチック製のアイスクリームカップ内に設置された着色粘着板中央部に貼付した。同時に、アイスクリームカップ内に２頭のスワルスキーカブリダニ成虫を放飼した。その後、アイスクリームカップ内に２０頭のミカンキイロアザミウマ雌成虫を放飼すると共に、アザミウマの餌として、水を含んだ脱脂綿を敷いたインゲン葉片を設置した。２４時間後、着色粘着トラップに捕獲されたアザミウマ数を計測し、式１を用い誘引率を算出した。その結果を表２に示す。
「式１」；誘引率＝（処理区の捕獲数−無処理区の捕獲数）＊１００／（１カップあたりの総放飼虫数）
一般に、与えられた１種類の有効成分化合物および１種類の天敵を同時処理した際に期待される誘引相乗効果は下記の式２のコルビーの計算式により求められる。
「式２」；Ｅ＝Ｘ＋Ｙ−（Ｘ＊Ｙ）／１００
Ｘ：有効成分化合物Ａを処理したときの誘引率
Ｙ：天敵Ｂを処理したときの誘引率
Ｅ：有効成分化合物Ａおよび天敵Ｂを同時に処理したときに期待される誘引率（誘引率期待値）
【表２】
2016009981.tif 000003
【００６４】
試験例３  誘引剤、または捕食性天敵を個別に処理した場合の誘引効果
ｐ−アニスアルデヒド、ネロール、スクアレンから選択された各単剤１μｇの重量を含むヘキサン溶液を調整し、この溶液を濾紙に含浸させた後、プラスチック製のアイスクリームカップ内に設置された着色粘着板中央部に上記濾紙を貼付した。その後、アイスクリームカップ内に２０頭のミカンキイロアザミウマ雌成虫を放飼すると共に、アザミウマの餌として、水を含んだ脱脂綿を敷いたインゲン葉片を設置した。２４時間後、着色粘着トラップに捕獲されたミカンキイロアザミウマ数を計測し、式１を用い誘引率を算出した。その結果を表３に示す。
一方、上記の誘引単剤処理とは別に、同様の着色粘着板を設置したアイスクリームカップ内に２頭のタイリクヒメハナカメムシ成虫を放飼した。その後、アイスクリームカップ内に２０頭のミカンキイロアザミウマ雌成虫を放飼すると共に、アザミウマの餌として、水を含んだ脱脂綿を敷いたインゲン葉片を設置した。２４時間後、着色粘着トラップに捕獲されたミカンキイロアザミウマ数を計測し、式１を用い誘引率を算出した。その結果を表３に示す。
「式１」；誘引率＝（処理区の捕獲数−無処理区の捕獲数）＊１００／（１カップあたりの総放飼虫数）
【表３】
2016009981.tif 000004
【００６５】
試験例４  誘引剤と捕食性天敵の相乗効果
ｐ−アニスアルデヒド、ネロール、スクアレンから選択された各単剤１μｇの重量を含むヘキサン溶液を調整した。この溶液を濾紙に含浸させた後、プラスチック製のアイスクリームカップ内に設置された着色粘着板中央部に貼付した。同時に、アイスクリームカップ内に２頭のタイリクヒメハナカメムシ成虫を放飼した。その後、アイスクリームカップ内に２０頭のミカンキイロアザミウマ雌成虫を放飼すると共に、ミカンキイロアザミウマの餌として、水を含んだ脱脂綿を敷いたインゲン葉片を設置した。２４時間後、着色粘着トラップに捕獲されたミカンキイロアザミウマ数を計測し、式１を用い誘引率を算出した。その結果を表４に示す。
「式１」；誘引率＝（処理区の捕獲数−無処理区の捕獲数）＊１００／（１カップあたりの総放飼虫数）
一般に、与えられた１種類の有効成分化合物および１種類の天敵を同時処理した際に期待される誘引相乗効果は下記の式２のコルビーの計算式により求められる。
「式２」；Ｅ＝Ｘ＋Ｙ−（Ｘ＊Ｙ）／１００
Ｘ：有効成分化合物Ａを処理したときの誘引率
Ｙ：天敵Ｂを処理したときの誘引率
Ｅ：有効成分化合物Ａおよび天敵Ｂを同時に処理したときに期待される誘引率（誘引率期待値）
【表４】
2016009981.tif 000005
【００６６】
試験例５  誘引剤、または捕食性天敵を個別に処理した場合の誘引効果
ｐ−アニスアルデヒド、リナロール、シトロネロール、ｏ−アニスアルデヒド、アントラニル酸メチル、安息香酸メチル、ｏ−アミノアセトフェノン、ｏ−トルイル酸メチル、オイゲノール、シンナムアルデヒド、ユーカリプトール、スクアレン、α−ヘキシルシンナムアルデヒドから選択された各単剤１μｇの重量を含むヘキサン溶液を調整し、この溶液を濾紙に含浸させた後、プラスチック製のアイスクリームカップ内に設置された着色粘着板中央部に上記濾紙を貼付した。その後、アイスクリームカップ内に２０頭のネギアザミウマ雌成虫を放飼すると共に、アザミウマの餌として、水を含んだ脱脂綿を敷いたインゲン葉片を設置した。２４時間後、着色粘着トラップに捕獲されたネギアザミウマ数を計測し、式１を用い誘引率を算出した。その結果を表５に示す。
一方、上記の誘引単剤処理とは別に、同様の着色粘着板を設置したアイスクリームカップ内に２頭のタイリクヒメハナカメムシ成虫を放飼した。その後、アイスクリームカップ内に２０頭のネギアザミウマ雌成虫を放飼すると共に、アザミウマの餌として、水を含んだ脱脂綿を敷いたインゲン葉片を設置した。２４時間後、着色粘着トラップに捕獲されたネギアザミウマ数を計測し、式１を用い誘引率を算出した。その結果を表５に示す。
「式１」；誘引率＝（処理区の捕獲数−無処理区の捕獲数）＊１００／（１カップあたりの総放飼虫数）
【表５】
2016009981.tif 000006
【００６７】
試験例６  誘引剤と捕食性天敵の相乗効果
ｐ−アニスアルデヒド、リナロール、シトロネロール、ｏ−アニスアルデヒド、アントラニル酸メチル、安息香酸メチル、ｏ−アミノアセトフェノン、ｏ−トルイル酸メチル、オイゲノール、シンナムアルデヒド、ユーカリプトール、スクアレン、α−ヘキシルシンナムアルデヒドから選択された各単剤１μｇの重量を含むヘキサン溶液を調整した。この溶液を濾紙に含浸させた後、プラスチック製のアイスクリームカップ内に設置された着色粘着板中央部に貼付した。同時に、アイスクリームカップ内に２頭のタイリクヒメハナカメムシ成虫を放飼した。その後、アイスクリームカップ内に２０頭のネギアザミウマ雌成虫を放飼すると共に、ネギアザミウマの餌として、水を含んだ脱脂綿を敷いたインゲン葉片を設置した。２４時間後、着色粘着トラップに捕獲されたネギアザミウマ数を計測し、式１を用い誘引率を算出した。その結果を表６に示す。
「式１」；誘引率＝（処理区の捕獲数−無処理区の捕獲数）＊１００／（１カップあたりの総放飼虫数）
一般に、与えられた１種類の有効成分化合物および１種類の天敵を同時処理した際に期待される誘引相乗効果は下記の式２のコルビーの計算式により求められる。
「式２」；Ｅ＝Ｘ＋Ｙ−（Ｘ＊Ｙ）／１００
Ｘ：有効成分化合物Ａを処理したときの誘引率
Ｙ：天敵Ｂを処理したときの誘引率
Ｅ：有効成分化合物Ａおよび天敵Ｂを同時に処理したときに期待される誘引率（誘引率期待値）
【表６】
2016009981.tif 000007
【００６８】
試験例７  誘引剤、または捕食性天敵を個別に処理した場合の誘引効果
ｏ−アニスアルデヒド、安息香酸メチル、ｏ−アミノアセトフェノンから選択された各単剤１μｇの重量を含むヘキサン溶液を調整し、この溶液を濾紙に含浸させた。プラスチック製のアイスクリームカップ内に水を含んだ脱脂綿を敷き、この上に着色粘着板と、ナミハダニの餌としてインゲン葉片を重ねて設置して、粘着板中央部に誘引化合物を含んだ上記濾紙を貼付した。その後、アイスクリームカップ内に１５頭のナミハダニを放飼した。２４時間後、着色粘着トラップに捕獲されたハダニ数を計測し、式１を用い誘引率を算出した。その結果を表７に示す。
一方、上記の誘引単剤処理とは別に、水を含んだ脱脂綿上に着色粘着板及びインゲン葉片を設置した同様のアイスクリームカップ内に２頭のチリカブリダニ成虫を放飼し、その後、アイスクリームカップ内に１５頭のナミハダニを放飼した。２４時間後、着色粘着トラップに捕獲されたナミハダニ数を計測し、式１を用い誘引率を算出した。その結果を表７に示す。
「式１」；誘引率＝（処理区の捕獲数−無処理区の捕獲数）＊１００／（１カップあたりの総放飼虫数）
【表７】
2016009981.tif 000008
【００６９】
試験例８  誘引剤と捕食性天敵の相乗効果
ｏ−アニスアルデヒド、安息香酸メチル、ｏ−アミノアセトフェノンから選択された各単剤１μｇの重量を含むヘキサン溶液を調整し、この溶液を濾紙に含浸させた。プラスチック製のアイスクリームカップ内に水を含んだ脱脂綿を敷き、この上に着色粘着板と、ナミハダニの餌としてインゲン葉片を重ねて設置して、粘着板中央部に誘引化合物を含んだ上記濾紙を貼付した。同時に、アイスクリームカップ内に２頭のチリカブリダニ成虫を放飼し、その後、アイスクリームカップ内に１５頭のナミハダニを放飼した。２４時間後、着色粘着トラップに捕獲されたハダニ数を計測し、式１を用い誘引率を算出した。その結果を表８に示す。
「式１」；誘引率＝（処理区の捕獲数−無処理区の捕獲数）＊１００／（１カップあたりの総放飼虫数）
一般に、与えられた１種類の有効成分化合物および１種類の天敵を同時処理した際に期待される誘引相乗効果は下記の式２のコルビーの計算式により求められる。
「式２」；Ｅ＝Ｘ＋Ｙ−（Ｘ＊Ｙ）／１００
Ｘ：有効成分化合物Ａを処理したときの誘引率
Ｙ：天敵Ｂを処理したときの誘引率
Ｅ：有効成分化合物Ａおよび天敵Ｂを同時に処理したときに期待される誘引率（誘引率期待値）
【表８】
2016009981.tif 000009
【００７０】
試験例９  誘引剤、または寄生性天敵を個別に処理した場合の誘引効果
ニコチン酸エチル、リナロール、シトロネロール、安息香酸メチル、シンナムアルデヒドから選択された各単剤１μｇの重量を含むヘキサン溶液を調整し、この溶液を濾紙に含浸させた。プラスチック製のアイスクリームカップ内に水を含んだ脱脂綿を敷き、この上に着色粘着板と、アブラムシの餌としてインゲン葉片を重ねて設置して、粘着板中央部に誘引化合物を含んだ誘引化合物を含んだ上記濾紙を貼付した。その後、アイスクリームカップ内に１５頭のモモアカアブラムシを放飼した。２４時間後、着色粘着トラップに捕獲されたアブラムシ数を計測し、式１を用い誘引率を算出した。その結果を表９に示す。
一方、上記の誘引単剤処理とは別に、水を含んだ脱脂綿上に着色粘着板及びインゲン葉片を設置した同様のアイスクリームカップ内に２頭のコレマンアブラバチ成虫を放飼し、その後、アイスクリームカップ内に１５頭のモモアカアブラムシを放飼した。２４時間後、着色粘着トラップに捕獲されたアブラムシ数を計測し、式１を用い誘引率を算出した。その結果を表９に示す。
「式１」；誘引率＝（処理区の捕獲数−無処理区の捕獲数）＊１００／（１カップあたりの総放飼虫数）
【表９】
2016009981.tif 000010
【００７１】
試験例１０  誘引剤と寄生性天敵の相乗効果
ニコチン酸エチル、リナロール、シトロネロール、安息香酸メチル、シンナムアルデヒドから選択された各単剤１μｇの重量を含むヘキサン溶液を調整し、この溶液を濾紙に含浸させた。プラスチック製のアイスクリームカップ内に水を含んだ脱脂綿を敷き、この上に着色粘着板と、アブラムシの餌としてインゲン葉片を重ねて設置して、粘着板中央部に誘引化合物を含んだ上記濾紙を貼付した。同時に、アイスクリームカップ内に２頭のコレマンアブラバチ成虫を放飼し、その後、アイスクリームカップ内に１５頭のモモアカアブラムシを放飼した。２４時間後、着色粘着トラップに捕獲されたアブラムシ数を計測し、式１を用い誘引率を算出した。その結果を表１０に示す。
「式１」；誘引率＝（処理区の捕獲数−無処理区の捕獲数）＊１００／（１カップあたりの総放飼虫数）
一般に、与えられた１種類の有効成分化合物および１種類の天敵を同時処理した際に期待される誘引相乗効果は下記の式２のコルビーの計算式により求められる。
「式２」；Ｅ＝Ｘ＋Ｙ−（Ｘ＊Ｙ）／１００
Ｘ：有効成分化合物Ａを処理したときの誘引率
Ｙ：天敵Ｂを処理したときの誘引率
Ｅ：有効成分化合物Ａおよび天敵Ｂを同時に処理したときに期待される誘引率（誘引率期待値）
【表１０】
2016009981.tif 000011
【００７２】
試験例１１  誘引化合物、または天敵微生物を個別に処理した場合の誘引効果
ｐ−アニスアルデヒド、ベンズアルデヒド、ニコチン酸エチル、ゲラニオール、リナロール、ネロール、シトロネロール、アントラニル酸メチル、安息香酸メチル、ｏ−アミノアセトフェノン、ｏ−アニシジン、ｍ−アミノ安息香酸メチル、ｏ−トルイル酸メチル、α−ヘキシルシンナムアルデヒド、ｏ−アニスアルデヒド、β‐ファルネセン、オイゲノール、３‐フェニルプロピルアルデヒド、シンナムアルデヒド、ユーカリプトール、スクアレンから選択された各単一誘引化合物１μｇの重量を含むヘキサン溶液を調整した。この溶液を濾紙に含浸させた後、ガラス管の片端に設置した。加えて、アザミウマの餌として、一定面積（１ｃｍ２）に切断したインゲン葉片を両端に設置した。このとき、誘引化合物を設置した端を処理区とした。ガラス管の片側から１管につき２０個体のミカンキイロアザミウマ雌成虫を管中央付近まで挿入し、管の両端にスポンジの栓をした。試験開始から３０分後にアザミウマが処理区に定位した場合を、誘引されたものと定義した。同様の試験を複数回行い、誘引化合物に誘引された個体数を基に、式１を用いて誘引化合物への誘引率を算出した。その結果を表１１に表す。
一方、上記の単一の誘引化合物処理とは別に、現在一般的に使用されている天敵微生物から選択された、各実用濃度に希釈した各単一天敵微生物の溶液にインゲン葉を浸漬し風乾した後、上記試験のインゲン葉片と同面積に切断した。ガラス管の片側に天敵微生物を処理したインゲン葉片を、もう一方に無処理のインゲン葉片を設置し、上記試験と同様に、ミカンキイロアザミウマを中央付近に挿入し、栓をした。試験開始から３０分後、天敵微生物を処理していない無処理葉片に誘引された個体数を基に、無処理葉片への誘引率（天敵微生物処理葉片への忌避率）を算出した。その結果を表１１に示す。
「式１」：誘引化合物への誘引率＝（処理区に誘引された個体数−コントロールに誘引された個体数）＊１００／（試験数）
無処理葉片への誘引率（天敵微生物処理葉片への忌避率）＝（無処理葉片に誘引された個体数−コントロールに誘引された個体数）＊１００／（試験数）
式中の「コントロールに誘引された」とは、誘引化合物・天敵微生物のいずれも処理していない葉片をガラス管の両端に設置した場合の、片側の葉片に誘引されることを示す。
【表１１】
2016009981.tif 000012
【００７３】
試験例１２  誘引化合物と天敵微生物の相乗効果
ｐ−アニスアルデヒド、ベンズアルデヒド、ニコチン酸エチル、ゲラニオール、リナロール、ネロール、シトロネロール、アントラニル酸メチル、安息香酸メチル、ｏ−アミノアセトフェノン、ｏ−アニシジン、ｍ−アミノ安息香酸メチル、ｏ−トルイル酸メチル、α−ヘキシルシンナムアルデヒド、ｏ−アニスアルデヒド、β‐ファルネセン、オイゲノール、３‐フェニルプロピルアルデヒド、シンナムアルデヒド、ユーカリプトール、スクアレンから選択された各単一誘引化合物１μｇの重量を含むヘキサン溶液を調整した。この溶液を濾紙に含浸させた後、ガラス管内の片端に設置し、加えて、アザミウマの餌として、一定面積（１ｃｍ２）に切断したインゲン葉片を同じ側の管内端に設置した。
一方、現在一般的に使用されている天敵微生物から選択された、各実用濃度に希釈した各単一天敵微生物の溶液にインゲン葉を浸漬し風乾した後、上記インゲン葉片と同じ面積に切断し、誘引化合物が無処理の、もう一方のガラス管内端に設置した。このとき、誘引化合物を設置した端を処理区とした。その後、ガラス管の片側から1管につき２０個体のミカンキイロアザミウマ雌成虫を管中央付近まで挿入し、管の両端にスポンジの栓をした。試験開始３０分後にアザミウマが処理区に定位した場合を誘引されたものと定義した。同様の試験を複数回行い、誘引化合物に誘引された個体数を基に、式１を用いて誘引化合物への誘引率を算出した。その結果を表１２に表す。
「式１」：誘引化合物への誘引率＝（処理区に誘引された個体数−コントロールに誘引された個体数）＊１００／（試験数）
式中の「コントロールに誘引された」とは、誘引化合物・天敵微生物のいずれも処理していない葉片を、ガラス管の両端に設置した場合の、片側の葉片に誘引されることを示す。
一般に、与えられた１種類の誘引化合物および１種類の天敵微生物を同時処理した際に期待される誘引相乗効果は下記の式２のコルビーの計算式により求められる。
「式２」；Ｅ＝Ｘ＋Ｙ−（Ｘ＊Ｙ）／１００
Ｘ：誘引化合物Ａを処理したときの誘引化合物への誘引率
Ｙ：天敵微生物Ｂを処理したときの無処理葉片への誘引率
Ｅ：誘引化合物Ａおよび天敵微生物Ｂを同時に処理したときに期待される誘引率（誘引率期待値）
【表１２】
2016009981.tif 000013
【産業上の利用可能性】
【００７４】
本発明によれば有害節足動物誘引化合物および有害節足動物防除用天敵を用いて、有害節足動物に対して効果的に防除しうる方法を提供することができる。施設栽培ハウス内および露地での害虫防除技術において、安全・良質な農産物を安定生産させるために極めて有用である害虫防除体系の提案方法等を汎用技術化することができる。本発明により、化学的に合成された殺虫活性化合物の使用を必要最小限に抑えることが可能となる。
【国際調査報告】
2016009981.tif 000014
2016009981.tif 000015
2016009981.tif 000016
2016009981.tif 000017
2016009981.tif 000018
2016009981.tif 000019
2016009981.tif 000020
2016009981.tif 000021